(57)【要約】開示されるのは、複数の照明ビームを備える測定照明を生成するように構成されたメトロロジデバイス（１６００）であって、照明ビームの各々は、空間的にインコヒーレント又は偽空間的にインコヒーレントであると共に、メトロロジデバイスの照明瞳に複数の瞳点を備えている。複数の照明ビームの一つ一つの各瞳点は、複数の照明ビームの他の照明ビームの少なくとも１つに対応する瞳点を有し、それによって対応する瞳点の複数のセットを定義し、対応する瞳点の各セットの瞳点は、互いに対して空間的にコヒーレントである。【選択図】図１６
2022500685.tif 000002
【特許請求の範囲】
【請求項１】
複数の照明ビームを備える測定照明を生成するように構成されたメトロロジデバイスであって、
前記照明ビームの各々は、空間的にインコヒーレント又は偽空間的にインコヒーレントであると共に前記メトロロジデバイスの照明瞳に複数の瞳点を備えており、
前記複数の照明ビームの一つ一つの各瞳点は、前記複数の照明ビームの他の照明ビームの少なくとも１つに対応する瞳点を有し、それによって対応する瞳点の複数のセットを定義し、
対応する瞳点の各セットの前記瞳点は、互いに対して空間的にコヒーレントである、メトロロジデバイス。
【請求項２】
各瞳点は、同じ照明ビームの他の全ての瞳点に対して実質的に空間的にインコヒーレントである、請求項１に記載のメトロロジデバイス。
【請求項３】
瞳点の各セットは、少なくとも検討される測定方向に対応する前記照明ビームについては、前記照明瞳内の瞳点の他の全てのセットの幾何学的な平行運動である、請求項１又は２に記載のメトロロジデバイス。
【請求項４】
インコヒーレントな放射の単一のビームから前記測定照明の複数の照明ビームを生成するためのオフアクシス照明ジェネレータを備える、請求項１から３の何れか一項に記載のメトロロジデバイス。
【請求項５】
前記オフアクシス照明ジェネレータは、各測定方向につき少なくとも１つの位相格子又は２Ｄ位相格子を備える、請求項４に記載のメトロロジデバイス。
【請求項６】
前記オフアクシス照明ジェネレータは、各照明ビーム内の様々な波長が共通の入射照明角度を有するように配置された、各測定方向につき少なくとも１ペアの位相格子又は２Ｄ位相格子と、少なくとも１ペアのレンズと、前記少なくとも１ペアのレンズの一方のレンズによって定義されるフーリエ平面内の少なくとも１ペアの光学くさびと、を備える、請求項５に記載のメトロロジデバイス。
【請求項７】
前記オフアクシス照明ジェネレータは、第１の位相プロファイルを有する第１の位相格子と第２の位相プロファイルを有する第２の位相格子とを備えると共に組み合わせた位相プロファイルがチューニング可能な非対称を備えるように前記第２の位相格子が前記第１の位相格子に対して移動可能なように配置される少なくとも１ペアの位相格子を備える、請求項５又は６に記載のメトロロジデバイス。
【請求項８】
前記第１の格子及び第２の格子は、異なる線幅及び／又は位相深さを有する、請求項７に記載のメトロロジデバイス。
【請求項９】
前記オフアクシス照明ジェネレータは、前記生成された照明ビームの強度が均衡するように、前記生成された照明ビームのうち少なくとも１つの経路内に位置する少なくとも１つの可変アテニュエータを備える、請求項５に記載のメトロロジデバイス。
【請求項１０】
前記オフアクシス照明ジェネレータは、前記インコヒーレントな放射の単一のビームから４つの同一の照明ビームを生成するように配置された複数のビームスプリッタ及びリフレクタコンポーネントを備え、それによって各照明ビーム内の様々な波長が共通の入射照明角度を有する、請求項４に記載のメトロロジデバイス。
【請求項１１】
各照明ビームは、前記照明瞳に位置しており、それによって、周期構造による前記測定照明の散乱の後、対応する高次回折次数が各照明ビームについて前記メトロロジデバイスの検出瞳でキャプチャされる、請求項１から１０の何れか一項に記載のメトロロジデバイス。
【請求項１２】
前記複数の照明ビームは、検討される測定方向毎に１ペアの照明ビームを備え、
キャプチャされる前記対応する高次回折次数は、各方向について相補的な高次回折次数を備える、請求項１１に記載のメトロロジデバイス。
【請求項１３】
対応する瞳点の各セットの前記瞳点は、前記複数の照明ビームの全てについて、互いに対して空間的にコヒーレントである、請求項１２に記載のメトロロジデバイス。
【請求項１４】
対応する瞳点の各セットの前記瞳点は、前記検討される測定方向のうち１つに対応する照明ビームの各ペアについてのみ、互いに対して空間的にコヒーレントである、請求項１２に記載のメトロロジデバイス。
【請求項１５】
前記メトロロジデバイスは、散乱線のゼロ次が検出されないように暗視野構成で動作可能である、請求項１１又は１２に記載のメトロロジデバイス。
【請求項１６】
前記メトロロジデバイスの前記検出瞳をイメージングするための瞳イメージングブランチを備える、請求項１１から１５の何れか一項に記載のメトロロジデバイス。
【請求項１７】
前記測定照明及び／又は前記照明ビームのスポットサイズをチューニングするためのスポットサイズチューナを備える、請求項１６に記載のメトロロジデバイス。
【請求項１８】
前記照明瞳及び／又は検出瞳にチューニング可能なフィルタを備え、
前記チューニング可能なフィルタは、色、偏光、空間分布及び角度分布のうち１つ以上をチューニングするためのものである、請求項１１から１７の何れか一項に記載のメトロロジデバイス。
【請求項１９】
前記高次回折次数の干渉の結果もたらされる干渉パターンをイメージングするように動作可能なディテクタを備える、請求項１１から１８の何れか一項に記載のメトロロジデバイス。
【請求項２０】
前記メトロロジデバイスは、前記干渉パターンの位置から位置情報を決定するように動作可能である、請求項１９に記載のメトロロジデバイス。
【請求項２１】
前記メトロロジデバイスは、前記干渉パターンの前記位置から固定基準に対する基板上の周期構造の位置を測定するためのアライメントセンサとして動作可能である、請求項２０に記載のメトロロジデバイス。
【請求項２２】
各々が異なる周期構造に対応する２つの干渉パターンの相対位置からオーバーレイを測定するように動作可能なオーバーレイメトロロジデバイスとして動作可能である、請求項２０又は２１に記載のメトロロジデバイス。
【請求項２３】
複数の測定を得るために基板上の複数の周期構造を測定するように、及び、
前記複数の位置測定に基づいて後続の処理ステップにおける前記基板の位置決めを最適化するように、
動作可能である、請求項２０から２２の何れか一項に記載のメトロロジデバイス。
【請求項２４】
前記周期構造のうちいくつか又は全ては、前記基板上に構造を形成するためのリソグラフィプロセスの様々な層に関係する、請求項２３に記載のメトロロジデバイス。
【請求項２５】
前記基板の位置決めを最適化することが各層の決定された又は割り当てられた臨界に基づいて加重平均を決定することを備えるように動作可能である、請求項２４に記載のメトロロジデバイス。
【請求項２６】
単一画像における前記周期構造の各々に対応する干渉パターンをキャプチャすることによって基板上の前記複数の周期構造を測定するように動作可能である、請求項２３から２５の何れか一項に記載のメトロロジデバイス。
【請求項２７】
前記測定照明は、複数の波長又は波長帯を備える、請求項１９から２６の何れか一項に記載のメトロロジデバイス。
【請求項２８】
前記複数の波長又は波長帯の各々に対応する各干渉パターンの別々の画像を得るように動作可能であり、前記別々の画像は前記ディテクタの同じ領域で連続的に得られるか、又は各画像が前記ディテクタの異なる領域でもしくは異なるディテクタで同時に得られる、請求項２７に記載のメトロロジデバイス。
【請求項２９】
前記複数の波長又は波長帯の各々に対応する前記干渉パターンを前記ディテクタの前記同じ領域で同時にイメージングするように動作可能であると共に、各干渉パターンの配向の異なる角度に基づいて前記干渉パターンを分離することによって前記画像を処理するように動作可能である、請求項２７に記載のメトロロジデバイス。
【請求項３０】
各周期構造について、前記干渉パターンの１つ以上の最適化された関心領域を決定するように動作可能である、請求項１９から２９の何れか一項に記載のメトロロジデバイス。
【請求項３１】
前記１つ以上の最適化された関心領域は、前記干渉パターンの画像の１つ以上の特徴及び／又は前記最適化された関心領域の関数としての測定されたもしくはモデル化された性能パラメータ値に基づいて決定される、請求項３０に記載のメトロロジデバイス。
【請求項３２】
前記１つ以上の最適化された関心領域は、複数の関心領域を備え、
各関心領域は、前記干渉パターンの画像の１つ以上の特徴及び／又は前記最適化された関心領域の関数としての測定されたもしくはモデル化された性能パラメータ値に基づいて対応する加重を備える、請求項３０又は３１に記載のメトロロジデバイス。
【請求項３３】
前記測定照明は、既知の偏光状態を備え、
前記メトロロジデバイスは、偏光分離素子を備え、
前記メトロロジデバイスは、偏光分解干渉パターンを別々にイメージングするように配置される、請求項１９から３２の何れか一項に記載のメトロロジデバイス。
【請求項３４】
様々な照明モードで動作可能であり、前記測定照明は複数の照明ビームのサブセットのみを備える、請求項１９から３３の何れか一項に記載のメトロロジデバイス。
【請求項３５】
前記照明モードは、１つのビームモード又は単一ビームモードを含み、
前記サブセットは、前記照明モードのうち１つのみを備える、請求項３４に記載のメトロロジデバイス。
【請求項３６】
前記単一ビームモードのうち１つ以上を用いて検出された散乱線の検出された強度に基づいて前記周期構造における非対称を決定するように動作可能である、請求項３５に記載のメトロロジデバイス。
【請求項３７】
前記検出された強度は、前記単一ビームモードのうちの２つを用いて得られる対向する高次回折次数間で検出された強度差を備え、
各単一ビームモードは、前記高次回折次数のうち１つに対応する、請求項３６に記載のメトロロジデバイス。
【請求項３８】
前記決定された非対称は、位置測定を補正するために用いられる、請求項３６又は３７に記載のメトロロジデバイス。
【請求項３９】
前記決定された非対称は、オーバーレイ又は合焦の値を決定するために用いられる、請求項３７又は３８に記載のメトロロジデバイス。
【請求項４０】
前記高次が前記ディテクタの様々な領域で同時に検出されるように前記高次の各々を個々に方向づけるための光学素子を備える、請求項３６から３９のいずれかに記載のメトロロジデバイス。
【請求項４１】
前記高次は、２つの直交する方向の各々について＋１及び−１回折次数の各々を備える、請求項４０に記載のメトロロジデバイス。
【請求項４２】
前記ディテクタ上で前記回折次数の各々の強度チャンネルを別個に監視し、
各方向の対向する回折次数間の強度差を決定し、
前記強度差を用いてマーク非対称の補正を決定する、
ように動作可能である、請求項４１に記載のメトロロジデバイス。
【請求項４３】
前記光学素子は、２つの直交する方向の各々について＋１及び−１回折次数の各々を前記ディテクタの様々な領域上に方向づけると共にゼロ次が干渉できるように各ゼロ次を前記ディテクタの更なる領域上に方向づけるように動作可能な格子を備える、請求項４１又は４２に記載のメトロロジデバイス。
【請求項４４】
前記干渉パターンにおける干渉縞コントラストの測定に基づいて前記周期構造における非対称を決定するように動作可能である、請求項１９から４３の何れか一項に記載のメトロロジデバイス。
【請求項４５】
前記干渉パターンにおける干渉縞の位置の測定に基づいて前記周期構造における非対称を決定するように動作可能である、請求項１９から４４の何れか一項に記載のメトロロジデバイス。
【請求項４６】
前記ディテクタにおけるドリフトの較正を可能にするために少なくとも１つのディテクタ基準周期構造を備える、請求項１９から４５のいずれかに記載のメトロロジデバイス。
【請求項４７】
前記測定照明のためにチューニング可能な波長及び／又はスペクトル機能性を提供する照明チューニングコンポーネントを備える、請求項１から４６の何れか一項に記載のメトロロジデバイス。
【請求項４８】
前記メトロロジデバイス内の光学収差の較正を可能にするために少なくとも１つの収差基準周期構造を備える、請求項１から４７の何れか一項に記載のメトロロジデバイス。
【請求項４９】
前記基準周期構造を測定することと、
前記基準周期構造の測定から前記メトロロジデバイス内の前記光学収差を記述する収差指紋を決定することと、
前記収差指紋を用いて後続の測定を補正することと、
によって収差較正を行うように動作可能である、請求項４８に記載のメトロロジデバイス。
【請求項５０】
前記メトロロジデバイスの検出経路内に、前記測定照明の偏光をチューニングするためのチューニング可能なポラライザ及び対応する偏光ディテクタを備える、請求項１から４９の何れか一項に記載のメトロロジデバイス。
【請求項５１】
前記照明ビーム間のコヒーレンスを変えるように動作可能な瞳照明モードコンポーネントを備える、請求項１から５０の何れか一項に記載のメトロロジデバイス。
【請求項５２】
測定放射を生成するための空間的にインコヒーレントな放射源を備える、請求項１から５１の何れか一項に記載のメトロロジデバイス。
【請求項５３】
前記空間的にインコヒーレントな放射源は、白熱光源、発光ダイオード源、又はレーザ生成プラズマ源を備える、請求項５２に記載のメトロロジデバイス。
【請求項５４】
空間的にインコヒーレントな放射を模倣する放射を生成する偽空間的にインコヒーレントな放射源を備える、請求項１から５１の何れか一項に記載のメトロロジデバイス。
【請求項５５】
前記偽空間的にインコヒーレントな放射源は、レーザ源と、マルチモード放射を作成するためのマルチモードジェネレータと、を備え、
前記偽空間的にインコヒーレントな放射源は、空間的にインコヒーレントな放射源を模倣するべくマルチモード放射の様々な実現をアンサンブル平均するように動作可能である、請求項５４に記載のメトロロジデバイス。
【請求項５６】
前記マルチモードジェネレータは、スペックルパターンを作成するための回転ディフューザを備える、請求項５５に記載のメトロロジデバイス。
【請求項５７】
前記マルチモードジェネレータは、レーザからの単一モードレーザビームを様々な角度にわたってスキャンするためのゴニオメータを備える、請求項５５に記載のメトロロジデバイス。
【請求項５８】
１つ以上のポンプパルスが音波を励起するように動作可能であり、前記音波が測定中の周期構造から反射されて表面変形及び／又は屈折率のばらつきをもたらすところ、前記測定照明の１つ以上のパルスの前に前記基板に前記１つ以上のポンプパルスを伝送するように、及び、
前記測定照明によって前記表面変形を測定するように、
ポンプ・プローブ照明モードで動作可能な、請求項１から５７の何れか一項に記載のメトロロジデバイス。
【請求項５９】
前記ポンプパルスは、前記メトロロジデバイスの光軸に沿って送給される、請求項５８に記載のメトロロジデバイス。
【請求項６０】
前記ポンプパルスは、前記メトロロジデバイスの光軸からずれて送給される、請求項５８に記載のメトロロジデバイス。
【請求項６１】
前記ポンプパルス及び／又はプローブパルスの１つ以上の特性は、非線形の音響生成、伝搬及び検出効果のうち１つ以上を高めるように最適化される、請求項５８，５９又は６０に記載のメトロロジデバイス。
【請求項６２】
請求項１から６１の何れか一項に記載のメトロロジデバイスを備える、リソグラフィ装置。
【発明の詳細な説明】
【技術分野】
【０００１】
関連出願の相互参照
[0001]  本願は２０１８年９月１９日に提出された欧州出願第１８１９５４８８．４号及び２０１９年１月３日に提出された欧州出願第１９１５０２４５．９号の優先権を主張するものである。両欧州出願は参照によりその全体が本明細書に組み込まれる。
【０００２】
[0002]  本発明は、リソグラフィプロセスにおいて位置情報を測定するための方法及び装置に関する。
【背景技術】
【０００３】
[0003]  リソグラフィ装置は、所望のパターンを基板に、通常は基板のターゲット部分に適用する機械である。リソグラフィ装置は、例えば、集積回路（ＩＣ）の製造に使用可能である。その場合、代替的にマスク又はレチクルとも呼ばれるパターニングデバイスを使用して、ＩＣの個々の層上に形成すべき回路パターンを生成することができる。このパターンを、基板（例えばシリコンウェーハ）上のターゲット部分（例えば１つ又はいくつかのダイの一部を含む）に転写することができる。パターンの転写は通常、基板に設けた放射感応性材料（レジスト）の層へのイメージングにより行われる。一般的に、１枚の基板は、順次パターンが付与される隣接したターゲット部分のネットワークを含んでいる。既知のリソグラフィ装置は、パターン全体をターゲット部分に１回で露光することによって各ターゲット部分が照射される、いわゆるステッパと、基板を所与の方向（「スキャン」方向）と平行あるいは逆平行に同期的にスキャンしながら、パターンを所与の方向（「スキャン」方向）に放射ビームでスキャンすることにより、各ターゲット部分が照射される、いわゆるスキャナとを含む。パターンを基板にインプリントすることによっても、パターニングデバイスから基板へとパターンを転写することが可能である。
【０００４】
[0004]  複雑なデバイスの製造においては、一般的に、多くのリソグラフィパターニングステップが実施され、それによって基板上の連続する層に機能的フィーチャが形成される。したがって、リソグラフィ装置の性能の重要な一態様は、適用されるパターンを、前の層に（同じ装置又は異なるリソグラフィ装置によって）定められたフィーチャに対して、正確に且つ精度よく設置する能力である。この目的のために、基板には、１セット以上のアライメントマークが設けられる。各マークは、位置センサ、一般的には光学位置センサを用いて、後から位置を測定することのできる構造である。リソグラフィ装置は１つ以上のアライメントセンサを含み、そのアライメントセンサによって基板上のマークの位置を精度よく測定することができる。異なる製造業者及び同じ製造業者の異なる製品による様々なタイプのマーク及び様々なタイプのアライメントセンサが知られている。現在のリソグラフィ装置において幅広く使用されているあるタイプのセンサは、米国特許第6961116号明細書（den Boef et al）に記載の自己参照干渉計に基づくものである。概して、Ｘ位置及びＹ位置を得るためには、マークが別々に測定される。しかしながら、米国特許出願公開第2009/195768A号明細書（Bijnen et al）に記載された技術を用いると、Ｘ及びＹの組み合わせ測定を実施することができる。そのようなセンサの変形及び応用が、米国特許出願公開第2015355554A1号明細書（Mathijssen）、国際公開第2015051970A1号（Tinnemans et al）に記載されている。これらの全ての刊行物の内容は、参照により本明細書に組み込まれる。
【０００５】
[0005]  リソグラフィプロセスを監視するために、パターンを付与された基板のパラメータが測定される。パラメータは、例えば、パターンを付与された基板の中又は上に形成された連続する層の間のオーバーレイエラーを含み得る。この測定は、製品基板に対して及び／又は専用のメトロロジターゲットに対して実施され得る。リソグラフィプロセスにおいて形成された微細構造の測定を行うためには、走査電子顕微鏡及び種々の専用ツールの使用を含め、様々な技術が存在する。高速で非侵襲性の形態の専用インスペクションツールがスキャトロメータである。スキャトロメータでは、放射ビームが基板の表面上のターゲットに向けられ、散乱又は反射したビームの特性が測定される。２つの主要なタイプのスキャトロメータが知られている。分光スキャトロメータは、広帯域放射ビームを基板上に向けて、特定の狭い角度範囲内に散乱した放射のスペクトル（波長の関数としての強度）を測定する。角度分解スキャトロメータは、単色放射ビームを用いて、散乱線の強度を角度の関数として測定する。
【０００６】
[0006]  既知のスキャトロメータの例は、米国特許出願公開第2006033921A1号明細書及び米国特許出願公開第2010201963A1号明細書に記載されているタイプの角度分解スキャトロメータを含む。そのようなスキャトロメータによって用いられるターゲットは比較的大きな、例えば４０μｍ×４０μｍの格子であり、測定ビームはその格子よりも小さいスポットを生成する（すなわち、格子はアンダーフィルされる）。再構築によるフィーチャ形状の測定に加え、米国特許出願公開第2006066855A1号明細書に記載されているような装置を用いて、回折ベースのオーバーレイを測定することができる。回折次数の暗視野イメージングを用いた回折ベースのオーバーレイメトロロジは、より小さなターゲットについてのオーバーレイ測定を可能にする。暗視野イメージングメトロロジの例は、国際公開第2009/078708号及び国際公開第2009/106279号において確認することができる。両文献はその全体が参照によって本明細書に組み込まれる。技術の更なる発展は、米国特許出願公開第20110027704A号明細書、米国特許出願公開第20110043791A号明細書、米国特許出願公開第2011102753A1号明細書、米国特許出願公開第20120044470A号明細書、米国特許出願公開第20120123581A号明細書、米国特許出願公開第20130258310A号明細書、米国特許出願公開第20130271740A号明細書、及び国際公開第2013178422A1号に記載されている。これらのターゲットは照明スポットよりも小さくすることができ、ウェーハ上の製品構造に囲まれてもよい。複合格子ターゲットを用いて、１つの画像内で複数の格子を測定することができる。これらの全ての出願の内容もまた、参照により本明細書に組み込まれる。
【発明の概要】
【０００７】
[0007]  本発明の第１の態様においては複数の照明ビームを備える測定照明を生成するように構成されたメトロロジデバイスが提供され、照明ビームの各々は空間的にインコヒーレント又は偽空間的に（pseudo-spatially）インコヒーレントであると共にメトロロジデバイスの照明瞳に複数の瞳点を備えており、複数の照明ビームの一つ一つの各瞳点は複数の照明ビームの他の照明ビームの少なくとも１つに対応する瞳点を有し、それによって対応する瞳点の複数のセットを定義し、対応する瞳点の各セットの瞳点は互いに対して空間的にコヒーレントである。
【０００８】
[0008]  一実施形態においては、各瞳点は、同じ照明ビームの他の全ての瞳点に対して実質的に空間的にインコヒーレントである。
【０００９】
[0009]  一実施形態においては、瞳点の各セットは、少なくとも検討される測定方向に対応する照明ビームについては、その照明瞳内の瞳点の他の全てのセットの幾何学的な平行運動である。
【００１０】
[0010]  一実施形態においては、メトロロジデバイスは更に、インコヒーレントな放射の単一のビームから測定照明の複数の照明ビームを生成するためのオフアクシス照明ジェネレータを備える。更なる一実施形態においては、オフアクシス照明ジェネレータは、各測定方向につき少なくとも１つの位相格子又は２Ｄ位相格子を備える。更なる実施形態は、各照明ビーム内の様々な波長が共通の入射照明角度を有するように配置された、各測定方向につき少なくとも１ペアの位相格子又は２Ｄ位相格子と、少なくとも１ペアのレンズと、その少なくとも１ペアのレンズの一方のレンズによって定義されるフーリエ平面内の少なくとも１ペアの光学くさびと、を備える。更なる一実施形態においては、オフアクシス照明ジェネレータは、生成された照明ビームの強度が均衡するように、生成された照明ビームのうち少なくとも１つの経路内に位置する少なくとも１つの可変アテニュエータを備える。
【００１１】
[0011]  一実施形態においては、オフアクシス照明ジェネレータは、インコヒーレントな放射の単一のビームから４つの同一の照明ビームを生成するように配置された複数のビームスプリッタ及びリフレクタコンポーネントを備え、それによって各照明ビーム内の様々な波長が共通の入射照明角度を有する。
【００１２】
[0012]  一実施形態においては、各照明ビームは照明瞳に位置しており、それによって、周期構造による測定照明の散乱の後、対応する高次回折次数が各照明ビームについてメトロロジデバイスの検出瞳でキャプチャされる。更なる一実施形態においては、複数の照明ビームは、検討される測定方向毎に１ペアの照明ビームを備え、キャプチャされる対応する高次回折次数は各方向について相補的な高次回折次数を備える。更なる一実施形態においては、対応する瞳点の各セットの瞳点は、複数の照明ビームの全てについて、互いに対して空間的にコヒーレントである。別の更なる一実施形態においては、対応する瞳点の各セットの瞳点は、検討される測定方向のうち１つに対応する照明ビームの各ペアについてのみ、互いに対して空間的にコヒーレントである。
【００１３】
[0013]  一実施形態においては、メトロロジデバイスは、散乱線のゼロ次が検出されないように暗視野構成で動作可能である。
【００１４】
[0014]  一実施形態においては、メトロロジデバイスは、メトロロジデバイスの検出瞳をイメージングするための瞳イメージングブランチを備える。更なる一実施形態においては、メトロロジは、測定照明及び／又は照明ビームのスポットサイズをチューニングするためのスポットサイズチューナを備える。
【００１５】
[0015]  一実施形態においては、メトロロジデバイスは照明瞳及び／又は検出瞳にチューニング可能なフィルタを備え、そのチューニング可能なフィルタは、色、偏光、空間分布及び角度分布のうち１つ以上をチューニングするためのものである。
【００１６】
[0016]  一実施形態においては、メトロロジデバイスは、高次回折次数の干渉の結果もたらされる干渉パターンをイメージングするように動作可能なディテクタを備える。更なる一実施形態においては、メトロロジデバイスは、その干渉パターンの位置から位置情報を決定するように動作可能である。更なる一実施形態においては、メトロロジデバイスは、その干渉パターンのその位置から固定基準に対する基板上の周期構造の位置を測定するためのアライメントセンサとして動作可能である。更なる一実施形態においては、メトロロジデバイスは、各々が異なる周期構造に対応する２つの干渉パターンの相対位置からオーバーレイを測定するように動作可能なオーバーレイメトロロジデバイスとして動作可能である。
【００１７】
[0017]  一実施形態においては、メトロロジデバイスは、複数の測定を得るために基板上の複数の周期構造を測定するように、及び、その複数の位置測定に基づいて後続の処理ステップにおける基板の位置決めを最適化するように動作可能である。更なる一実施形態においては、周期構造のうちいくつか又は全ては、基板上に構造を形成するためのリソグラフィプロセスの様々な層に関係する。更なる一実施形態においては、メトロロジデバイスは、基板の位置決めを最適化することが各層の決定された又は割り当てられた臨界に基づいて加重平均を決定することを備えるように動作可能である。一実施形態においては、メトロロジデバイスは、単一画像における周期構造の各々に対応する干渉パターンをキャプチャすることによって基板上の複数の周期構造を測定するように動作可能である。
【００１８】
[0018]  一実施形態においては、メトロロジデバイスは、複数の波長又は波長帯を備える測定照明である。更なる一実施形態においては、メトロロジデバイスは、複数の波長又は波長帯の各々に対応する各干渉パターンの別々の画像を得るように動作可能であり、その別々の画像はディテクタの同じ領域で連続的に得られるか、又は各画像がディテクタの異なる領域でもしくは異なるディテクタで同時に得られる。
【００１９】
[0019]  一実施形態においては、メトロロジデバイスは、複数の波長又は波長帯の各々に対応する干渉パターンをディテクタの同じ領域で同時にイメージングするように動作可能であると共に、更に、各干渉パターンの配向の異なる角度に基づいて干渉パターンを分離することによって画像を処理するように動作可能である。
【００２０】
[0020]  一実施形態においては、メトロロジデバイスは、各周期構造について、干渉パターンの１つ以上の最適化された関心領域を決定するように動作可能である。更なる一実施形態においては、１つ以上の最適化された関心領域は、干渉パターンの画像の１つ以上の特徴及び／又は最適化された関心領域の関数としての測定されたもしくはモデル化された性能パラメータ値に基づいて決定される。更なる一実施形態においては、１つ以上の最適化された関心領域は複数の関心領域を備え、各関心領域は、干渉パターンの画像の１つ以上の特徴及び／又は最適化された関心領域の関数としての測定されたもしくはモデル化された性能パラメータ値に基づいて対応する加重を備える。
【００２１】
[0021]  一実施形態においては、測定照明は既知の偏光状態を備え、メトロロジデバイスは偏光分離素子を備え、メトロロジデバイスは偏光分解干渉パターンを別々にイメージングするように配置される。
【００２２】
[0022]  一実施形態においては、メトロロジデバイスは様々な照明モードで動作可能であり、測定照明は複数の照明ビームのサブセットのみを備える。更なる一実施形態においては、照明モードは１つのビームモード又は単一ビームモードを含み、サブセットは照明モードのうち１つのみを備える。更なる一実施形態においては、メトロロジデバイスは、単一ビームモードのうち１つ以上を用いて検出された散乱線の検出された強度に基づいて周期構造における非対称を決定するように動作可能である。更なる一実施形態においては、検出された強度は、単一ビームモードのうちの２つを用いて得られる対向する高次回折次数間で検出された強度差を備え、各単一ビームモードは高次回折次数のうち１つに対応する。更なる一実施形態においては、決定された非対称は、位置測定を補正するために用いられる。更なる一実施形態においては、決定された非対称は、オーバーレイ又は合焦の値を決定するために用いられる。
【００２３】
[0023]  一実施形態においては、メトロロジデバイスは、干渉パターンにおける干渉縞コントラストの測定に基づいて周期構造における非対称を決定するように動作可能である。
【００２４】
[0024]  一実施形態においては、メトロロジデバイスは、干渉パターンにおける干渉縞の位置の測定に基づいて周期構造における非対称を決定するように動作可能である。
【００２５】
[0025]  一実施形態においては、メトロロジデバイスは、ディテクタにおけるドリフトの較正を可能にするために少なくとも１つのディテクタ基準周期構造を備える。
【００２６】
[0026]  一実施形態においては、メトロロジデバイスは、測定照明のためにチューニング可能な波長及び／又はスペクトル機能性を提供する照明チューニングコンポーネントを備える。
【００２７】
[0027]  一実施形態においては、メトロロジデバイスは、メトロロジデバイス内の光学収差の較正を可能にするために少なくとも１つの収差基準周期構造を備える。更なる一実施形態においては、メトロロジデバイスは、基準周期構造を測定することと、基準周期構造の測定からメトロロジデバイス内の光学収差を記述する収差指紋を決定することと、収差指紋を用いて後続の測定を補正することと、によって収差較正を行うように動作可能である。
【００２８】
[0028]  一実施形態においては、メトロロジデバイスは、メトロロジデバイスの検出経路内に、測定照明の偏光をチューニングするためのチューニング可能なポラライザ及び対応する偏光ディテクタを備える。
【００２９】
[0029]  一実施形態においては、メトロロジデバイスは、照明ビーム間のコヒーレンスを変えるように動作可能な瞳照明モードコンポーネントを備える。
【００３０】
[0030]  一実施形態においては、メトロロジデバイスは、測定放射を生成するための空間的にインコヒーレントな放射源を備える。更なる一実施形態においては、空間的にインコヒーレントな放射源は、白熱光源、発光ダイオード源、又はレーザ生成プラズマ源を備える。
【００３１】
[0031]  一実施形態においては、メトロロジデバイスは、空間的にインコヒーレントな放射を模倣する放射を生成する偽空間的にインコヒーレントな放射源を備える。更なる一実施形態においては、偽空間的にインコヒーレントな放射源はレーザ源とマルチモード放射を作成するためのマルチモードジェネレータとを備え、偽空間的にインコヒーレントな放射源は、空間的にインコヒーレントな放射源を模倣するべくマルチモード放射の様々な実現をアンサンブル平均するように動作可能である。更なる一実施形態においては、マルチモードジェネレータは、スペックルパターンを作成するための回転ディフューザを備える。別の一実施形態においては、マルチモードジェネレータは、レーザからの単一モードレーザビームを様々な角度にわたってスキャンするためのゴニオメータを備える。
【００３２】
[0032]  本発明の更なる態様、特徴及び利点、並びに本発明の様々な実施形態の構造及び動作を、添付図面を参照し、以下において詳細に説明する。なお、本発明は、本明細書に記載される具体的な実施形態に限定されない。そのような実施形態は、例示のみを目的として本明細書中に提示される。当業者には、本明細書に含まれる教示に基づいて、追加的な実施形態が明らかであろう。
【図面の簡単な説明】
【００３３】
[0033]  次に、添付の図面を参照して、本発明の実施形態を例として説明する。
【００３４】
【図１】リソグラフィ装置を、半導体デバイスの生産設備を形成する他の装置と共に図示する。
【図２】本発明の第１の実施形態によるメトロロジデバイスの概略図である。
【図３】（ａ）は入力放射の瞳像、（ｂ）は第１の実施形態による図２のメトロロジデバイスの動作原理を示すオフアクシス照明ビームの瞳像、（ｃ）は第２の実施形態による図２のメトロロジデバイスの動作原理を示すオフアクシス照明ビームの瞳像である。
【図４】（ａ）はアライメントに使用可能な例示的なターゲット、（ｂ）単一次数の検出に対応する検出瞳の瞳像、（ｃ）は４つの回折次数の検出に対応する検出瞳の瞳像、（ｄ）は図４（ａ）のターゲットの測定に続いてイメージングされる干渉パターンの概略的な一例を示す。
【図５】アライメント測定の際にイメージングされる（ａ）第１の基板位置及び（ｂ）第２の基板位置に対応する干渉パターンを概略的に示す。
【図６】図２のメトロロジシステムを通じた放射の伝搬を概略的に図示する。
【図７】（ａ）オフアクシス照明ジェネレータの第１の実施形態の概略図、オフアクシス照明ジェネレータの第２の実施形態の（ｂ）概略上面図及び（ｃ）概略側面図、並びに（ｄ）オフアクシス照明ジェネレータの第３の実施形態の概略図である。
【図８】一実施形態による、同じカメラで同時にイメージングされた、２つの波長に対応するイメージングされた干渉パターンを概略的に示す。
【図９】オーバーレイの測定のための一実施形態による、（ａ）はオーバーレイに使用可能な例示的なターゲット、（ｂ）は図９（ａ）のターゲットの測定の後イメージングされた干渉パターンの概略的な一例を示す。
【図１０】実施形態による図２のメトロロジデバイスを用いてターゲットにおける非対称を測定する種々の方法を図示する。図１０（ａ）及び図１０（ｃ）は第１及び第２の照明モードの瞳像をそれぞれ示す。図１０（ｂ）及び図１０（ｄ）は第１及び第２の照明モードによってそれぞれもたらされる画像キャプチャの概略図を示す。図１０（ｅ）及び図１０（ｆ）はゼロ非対称及び非ゼロ非対称のターゲットをそれぞれ測定することによってもたらされる干渉縞パターンを示す。図１０（ｆ）及び図１０（ｇ）は複数の回折次数の同時検出を図示する。
【図１１】一実施形態による干渉パターンの解釈のために選択された任意の形状の関心領域を概略的に示す。
【図１２】一実施形態による１回の画像キャプチャにおいて測定される４つのターゲットの干渉パターンを概略的に示す。
【図１３】本発明の第２の実施形態によるメトロロジデバイスの概略図である。
【図１４】（ａ）から（ｅ）は、種々のポンプ・プローブ照明方法を概略的に図示する。
【図１５】（ａ）は非対称最適化のためのデュアル格子オフアクシス照明ジェネレータに関する位相プロファイル、（ｂ）は位相深さに対する回折効率の関連するスイング曲線を図示する。
【図１６】本発明の第３の実施形態によるメトロロジデバイスの概略図である。
【図１７】本発明の一実施形態によるメトロロジデバイスの光学素子における収差の効果を軽減するための較正を説明するフローチャートである。
【発明を実施するための形態】
【００３５】
[0034]  本発明の実施形態を詳細に説明する前に、本発明の実施形態が実施され得る例示的な環境を提示することは有益である。
【００３６】
[0035]  図１は、２００において、リソグラフィ装置ＬＡを、大量リソグラフィ製造プロセスを実施する産業生産設備の一部として示す。本例においては、製造プロセスは、半導体ウェーハのような基板上の半導体製品（集積回路）の製造用に適応化されている。当業者であれば、このプロセスの変形において様々なタイプの基板を処理することにより多様な製品が製造可能であることを理解するであろう。半導体製品の生産は純粋に、今日大きな商業的意義を有するものの一例として用いられる。
【００３７】
[0036]  リソグラフィ装置（又は略して「リソツール」２００）内には、２０２に測定ステーションＭＥＡが示されると共に、２０４に露光ステーションＥＸＰが示されている。２０６には制御ユニットＬＡＣＵが示されている。本例において、各基板は、パターンを適用させるために、測定ステーション及び露光ステーションを訪れる。光リソグラフィ装置においては、例えば、投影システムを使用して、調整された放射及び投影システムを用いて製品パターンをパターニングデバイスＭＡから基板上に転写する。これは、放射感応性レジスト材料の層内にパターンの画像を形成することによって行われる。
【００３８】
[0037]  本明細書において使用する「投影システム」という用語は、例えば使用する露光放射、又は液浸液の使用や真空の使用などの他の要因に合わせて適宜、例えば屈折光学システム、反射光学システム、反射屈折光学システム、磁気光学システム、電磁気光学システム及び静電気光学システム、又はその任意の組み合わせを含む任意のタイプの投影システムを網羅するものとして広義に解釈されるべきである。パターニングＭＡデバイスは、パターニングデバイスによって伝送又は反射される放射ビームにパターンを付与するマスク又はレチクルであってもよい。周知の動作モードはステッピングモードとスキャンモードとを含む。周知のように、投影システムは、所望のパターンを基板全体にわたる多くのターゲット部分に適用するべく、基板の支持システム及び位置決めシステム並びにパターニングデバイスと様々に協働し得る。固定パターンを有するレチクルの代わりにプログラマブルパターニングデバイスが用いられてもよい。放射は、例えば、深紫外（ＤＵＶ）周波帯又は極端紫外（ＥＵＶ）周波帯の電磁放射線を含み得る。本開示は、他のタイプのリソグラフィプロセス、例えば電子ビームによる、例えばインプリントリソグラフィ及びダイレクトライティングリソグラフィにも適用可能である。
【００３９】
[0038]  リソグラフィ装置制御ユニットＬＡＣＵは、種々のアクチュエータ及びセンサの全ての移動及び測定を、基板Ｗ及びレチクルＭＡを受け入れるように及びパターニング動作を実施するように制御する。ＬＡＣＵは、装置の動作に関連所望の計算を実施するための信号処理能力及びデータ処理能力も備えている。実用においては、制御ユニットＬＡＣＵは多くのサブユニットからなるシステムとして実現され、そのサブユニットの各々がリアルタイムのデータ取得や装置内のサブシステム又はコンポーネントの処理及び制御に対処する。
【００４０】
[0039]  露光ステーションＥＸＰにおいてパターンが基板に適用される前に、基板は、種々の準備ステップが実行され得るように、測定ステーションＭＥＡにおいて処理される。準備ステップは、レベルセンサを用いて基板の表面高さをマッピングすること、及びアライメントセンサを用いて基板上のアライメントマークの位置を測定することを含み得る。アライメントマークは、公称では通常の格子パターンで配置される。しかしながら、マーク作成の精度不良に起因して、並びに基板の処理全体を通じて発生する基板の変形に起因して、マークは理想的な格子から外れる。その結果、装置が正確な場所に非常に高い精度で製品フィーチャを印刷しようとする場合、基板の位置及び配向を測定することに加え、アライメントセンサは、実用では、基板エリア全体にわたって多くのマークの位置を詳細に測定しなければならない。装置は、制御ユニットＬＡＣＵによって制御される位置決めシステムを各々が備える２つの基板テーブルを有する、所謂デュアルステージタイプのものであってもよい。様々な準備ステップを実行できるように、露光ステーションＥＸＰで一方の基板テーブル上の１つの基板が露光されている間に、測定ステーションＭＥＡでは他方の基板テーブル上に別の基板がロードされてもよい。したがって、アライメントマークの測定には非常に時間がかかり、２つの基板テーブルを設けることは、装置のスループットの実質的な向上を可能にする。基板テーブルが測定ステーション並びに露光ステーションにあるときの基板テーブルの位置を位置センサＩＦが測定することができない場合には、両ステーションにおいて基板テーブルの位置が追跡されることを可能にするために、第２の位置センサが設けられてもよい。リソグラフィ装置ＬＡは、例えば所謂デュアルステージタイプのものであってもよく、これは２つの基板テーブルと２つのステーションすなわち露光ステーション及び測定ステーションを有しており、基板テーブルは２つのステーション間で交換することができる。代替的な一実施形態においては、測定ステーションは別個のメトロロジ又はアライメント装置の一部である。別の一実施形態においては、基板は測定ステーションと露光ステーションとの間で交換される。ここで、各ステーションは基板を保持するために別個の基板テーブルを備えており、基板は、基板の測定が行われた後で測定基板テーブルからアンロードされ、その後、露光プロセスのために露光ステーションの基板テーブルに搬送されてロードされる。
【００４１】
[0040]  生産設備内では、装置２００は「リソセル」又は「リソクラスタ」の一部を形成し、これは装置２００によるパターニングのために基板Ｗに感光性レジスト及び他のコーティングを適用するコーティング装置２０８も含む。装置２００の出力側には、露光されたパターンを物理的なレジストパターンへと現像するために、焼成装置２１０及び現像装置２１２が設けられる。これらの全ての装置の間では、基板ハンドリングシステムが基板の支持及び１つの装置から次の装置への基板の搬送を引き受ける。集合的にトラックと称されることの多いこれらの装置は、トラック制御ユニットの制御下にある。トラック制御ユニット自体は監視制御システムＳＣＳによって制御され、監視制御システムＳＣＳはリソグラフィ装置制御ユニットＬＡＣＵを介してリソグラフィ装置も制御する。このように、異なる装置がスループット及び処理効率を最大化するように動作可能である。監視制御システムＳＣＳは、各パターン付き基板を作成するために実施されるべきステップの定義を綿密に提供するレシピ情報Ｒを受信する。
【００４２】
[0041]  リソセルにおいてパターンが適用され現像されると、パターン付き基板２２０は、２２２，２２４，２２６に図示されるような他の処理装置へと搬送される。一般的な製造設備においては、広範囲の処理ステップが種々の装置によって実施される。例として、本実施形態における装置２２２はエッチングステーションであり、装置２２４はエッチング後のアニールステップを行う。更なる装置２２６等では、更なる物理的及び／又は化学的な処理ステップが適用される。実デバイスを作るためには、材料の堆積、表面材料特性の修正（酸化、ドーピング、イオン注入等）、化学的機械的研磨（ＣＭＰ）などといった多様なタイプの動作が必要とされるであろう。装置２２６は、実用では、１つ以上の装置で行われる一連の様々な処理ステップを表し得る。別の一例としては、リソグラフィ装置によって定められた原版パターンに基づいて複数のより小さなフィーチャを生産するべく、自己整合多重パターニングの実施のための装置及び処理ステップが設けられてもよい。
【００４３】
[0042]  周知のように、半導体デバイスの製造は、適当な材料及びパターンによって基板上に１層ずつデバイス構造を築き上げるために、こうした処理を何度も繰り返すことを伴う。よって、リソクラスタに到達する基板２３０は、新たに用意された基板であってもよいし、又は先にこのクラスタにおいてもしくは別の装置において完全に処理された基板であってもよい。同様に、必要な処理に応じて、装置２２６を去る基板２３２は、同じリソクラスタにおける後続のパターニング動作のために戻されてもよいし、異なるクラスタにおけるパターンニング動作を予定されてもよいし、又はダイシング及びパッケージ化に送られる完成品であってもよい。
【００４４】
[0043]  製品構造の各層は異なる工程ステップのセットを必要とし、各層で用いられる装置２２６は完全にタイプが異なるものであり得る。また、装置２２６によって適用される処理ステップが名目上同じである場合でも、大型施設においては、異なる基板に対してステップ２２６を行うべく並行して動作する、恐らくは同一であると思われるいくつかの機械が存在し得る。これらの機械間の設定又は異常の小さな相違は、そうした相違が異なる基板に様々に影響することを意味し得る。エッチング（装置２２２）のような、各層にとって比較的一般的なステップでさえ、スループットを最大化するために、名目上は同一であるが並行して動作するいくつかのエッチング装置によって実施され得る。更に、実用においては、異なる層は、エッチングされる材料の詳細次第で、例えば化学エッチング、プラズマエッチングといった様々なエッチングプロセスや、例えば異方性エッチングのような特別な要件を必要とする。
【００４５】
[0044]  前工程及び／又は後工程は、前述のように他のリソグラフィ装置において実施されてもよいし、異なるタイプのリソグラフィ装置においてさえ実施され得る。例えば、デバイス製造プロセスにおいて解像度やオーバーレイといったパラメータの要求が非常に厳しいいくつかの層は、要求が厳しくない他の層よりも高度なリソグラフィツールにおいて実施され得る。したがって、いくつかの層は液浸タイプのリソグラフィツールで露光されてもよく、その一方で他の層は「ドライ」ツールで露光される。いくつかの層はＤＵＶ波長で動作するツールで露光されてもよく、その一方で他の層はＥＵＶ波長放射を用いて露光される。
【００４６】
[0045]  リソグラフィ装置によって露光される基板が正確に且つ安定的に露光されるためには、後続の層間のオーバーレイエラー、線幅、クリティカルディメンジョン（ＣＤ）等の特性を測定するべく、露光済み基板を検査するのが望ましい。よって、リソセルＬＣが所在する製造設備は、そのリソセルにおいて処理された基板Ｗのうちいくつか又は全部を受け入れるメトロロジシステムも含む。メトロロジ結果は、直接又は間接に監視制御システムＳＣＳに提供される。エラーが検出される場合には、特に、メトロロジをすぐに且つ迅速に行うことが可能で同じバッチの他の基板がまだ露光できるのであれば、後続の基板の露光に対して調節がなされてもよい。また、既に露光された基板は、取り除き、再処理して歩留まりを改善するか、あるいは廃棄してもよく、それによって、欠陥があることがわかっている基板の更なる処理を行うことが回避される。基板のいくつかのターゲット部分だけに欠陥がある場合には、良好なターゲット部分についてのみ、更なる露光が行われてもよい。
【００４７】
[0046]  図１には、製造プロセスの所望の段階で製品のパラメータの測定を行うために設けられた計測装置２４０も示されている。最新のリソグラフィ生産設備におけるメトロロジステーションのよくある例は、例えば暗視野スキャトロメータ、角度分解スキャトロメータ又は分光スキャトロメータといったスキャトロメータであり、これは装置２２２におけるエッチングの前に、２２０で現像された基板の特性を測定するために適用され得る。メトロロジ装置２４０を用いて、例えば、オーバーレイ又はクリティカルディメンジョン（ＣＤ）などの重要な性能パラメータが、現像済みレジストにおいて特定の精度要件を満たさないことを判定することができる。エッチングステップの前に、現像済みレジストを取り除き、リソクラスタを通じて基板２２０を再処理する機会が存在する。装置２４０からのメトロロジ結果２４２は、経時的に小さな調節を行う監視制御システムＳＣＳ及び／又は制御ユニットＬＡＣＵ２０６によって、リソクラスタにおけるパターニング動作の高精度の性能を維持するために使用可能であり、それによって製品が仕様外にされたり再処理を必要としたりするリスクが最小化される。
【００４８】
[0047]  また、処理済みの基板２３２，２３４及び入ってくる基板２３０の特性を測定するために、メトロロジ装置２４０及び／又は他のメトロロジ装置（図示しない）が適用されてもよい。メトロロジ装置は、オーバーレイ又はＣＤのような重要なパラメータを判定するために、処理済みの基板に対して使用されてもよい。
【００４９】
[0048]  アライメントセンサを用いて基板上のアライメントマークの位置を測定することによってアライメントを行う際には、アライメントマークのピッチのサイズを、例えば１００ｎｍと同じ桁内（より具体的には３００〜８００ｎｍの範囲内）にまで小さくするのが望ましいであろう。また、アライメントマークのうち多く（例えば数千個）が、ウェーハ空間が「高価」であるインダイ（in-die）、製品構造間を含め、ウェーハ全体に収まるように、アライメントマークの面積（占有面積）を小さくするのも望ましいであろう。
【００５０】
[0049]  序論において言及した刊行物に記載されているもののような多くの現行のアライメントセンサは、相互にコヒーレントな（例えば、同じ単一モードの放射源に由来する）共役オフアクシスビームを必要とする。これは対応する回折次数間の干渉を可能にする。しかしながら、空間的にコヒーレントな放射の使用は、アライメント測定に影響を与えスペックル効果などの干渉アーチファクトをもたらし、結果として位置エラーを生じさせる。他の現行のアライメントセンサは、空間的にインコヒーレントな放射を使用し、それによってスペックルの問題を回避している。しかし、インコヒーレントな放射を用いると、小さなマークピッチ（例えば照明波長よりも小さい）を分解することを可能にする唯一の手法は明視野モードでイメージングすることによるものとなり、そうすると高次の回折次数がゼロ次と干渉する。比較すると、前述のコヒーレントなソースセンサは、一般的にゼロ次が遮蔽される暗視野イメージングモードを使用することができる。そのような暗視野イメージングは、明視野イメージングよりも優れた性能を提供する。
【００５１】
[0050]  上記の問題に対処するため、コヒーレンスを最適化されたメトロロジデバイスが提案される。より具体的には、本明細書において提案されるのは、複数の空間的にインコヒーレントな測定照明のビームを生成するように構成されたメトロロジデバイスであり、それらのビームの各々（又は、それらのビームの、各々が測定方向に対応する測定ペアの、両方のビーム）は断面内に対応する領域を有しており、その断面についてはこれらの領域におけるビーム間の位相関係がわかっている。すなわち、対応する領域については相互の空間的コヒーレンスが存在する。
【００５２】
[0051]  そのようなメトロロジデバイスは、許容可能な（最小の）干渉アーチファクト（スペックル）を有する小さなピッチのターゲットを測定することができるであろうし、暗視野モードでも動作可能であろう。そのようなメトロロジデバイスは、基板位置を測定する（例えば、固定基準位置に対する周期構造又はアライメントマークの位置を測定する）ための位置又はアライメントセンサとして用いられ得る。しかしながら、メトロロジデバイスは、オーバーレイの測定（例えば、異なる層内の、又はスティッチングマークの場合には同じ層内の、周期構造の相対位置の測定）にも使用可能である。メトロロジデバイスは、周期構造の非対称を測定することもでき、したがって、ターゲット非対称測定に基づく任意のパラメータ（例えば、回折ベースのオーバーレイ（ＤＢＯ）技術を用いたオーバーレイ又は回折ベースの合焦（ＤＢＦ）技術を用いた合焦）を測定するために用いられてもよい。
【００５３】
ハードウェアの提案例
[0052]  図２は、そのようなメトロロジデバイスの可能な実装形態を示す。メトロロジデバイスは、本質的に、新規の照明モードを備える標準的な顕微鏡として動作する。メトロロジデバイス３００は、デバイスの主要なコンポーネントを備える光モジュール３０５を備えている。照明源３１０（モジュール３０５の外部に位置しマルチモードファイバ３１５によって同モジュールに光学的に連結されていてもよい）が、空間的にインコヒーレントな放射ビーム３２０を光モジュール３０５に提供する。光学コンポーネント３１７が、空間的にインコヒーレントな放射ビーム３２０をコヒーレントなオフアクシス照明ジェネレータ３２５に送給する。このコンポーネントは本明細書に記載の構想にとって特に重要であり、より詳細に説明される。コヒーレントなオフアクシス照明ジェネレータ３２５は、空間的にインコヒーレントな放射ビーム３２０から複数（例えば４つ）のオフアクシスビーム３３０を生成する。これらのオフアクシスビーム３３０の特徴は、以下で詳細に説明される。照明ジェネレータのゼロ次は、照明ゼロ次遮蔽素子３７５によって遮蔽され得る。このゼロ次は、本文書において説明されるコヒーレントなオフアクシス照明ジェネレータ例のうちいくつか（例えば位相格子ベースの照明ジェネレータ）についてしか存在せず、したがって、そのようなゼロ次照明が生成されないときには省略されてもよい。オフアクシスビーム３３０は（光学コンポーネント３３５及び）スポットミラー３４０を介して（例えば高ＮＡ）対物レンズ３４５に送給される。対物レンズはオフアクシスビーム３３０を基板３５０上に位置するサンプル（例えば周期構造／アライメントマーク）上に合焦させ、オフアクシスビームはそこで散乱及び回折する。散乱した高次回折次数３５５＋，３５５−（例えばそれぞれ＋１次及び−１次）は、スポットミラー３４０を介して伝搬して戻り、光学コンポーネント３６０によってセンサ又はカメラ３６５上に合焦され、そこで干渉して干渉パターンを形成する。すると、適当なソフトウェアを実行するプロセッサ３８０が、カメラ３６５によってキャプチャされた干渉パターンの１つ又は複数の画像を処理することができる。
【００５４】
[0053]  ゼロ次回折（正反射）放射は、検出ブランチ内の適当な場所で、例えばスポットミラー３４０及び／又は別個の検出ゼロ次遮蔽素子によって、遮蔽される。なお、オフアクシス照明ビームの各々についてゼロ次反射がある。すなわち、本実施形態においては、合計で４つのこうしたゼロ次反射がある。４つのゼロ次反射を遮蔽するのに適したアパーチャプロファイルの一例が、図４（ｂ）及び図４（ｃ）に、４２２と標示されて示されている。よって、メトロロジデバイスは「暗視野」メトロロジデバイスとして動作した。
【００５５】
[0054]  提案されるメトロロジデバイスの主要な構想は、必要な場合にのみ測定照明において空間的コヒーレンスを誘発することである。より具体的には、空間的コヒーレンスは、オフアクシスビーム３３０の各々の対応する瞳点のセットの間で誘発される。更に具体的には、１セットの瞳点は、オフアクシスビームの各々に対応する単一の瞳点を備えており、その１セットの瞳点は相互に空間的にコヒーレントであるが、各瞳点は同じビームの他の全ての瞳点に対してインコヒーレントである。このようにして測定照明のコヒーレンスを最適化することによって、小さいピッチのターゲットに対して暗視野オフアクシス照明を行うことが可能になるが、各オフアクシスビーム３３０は空間的にインコヒーレントであるから、スペックルアーチファクトは最小になる。
【００５６】
[0055]  図３は、この構想を説明するための３つの瞳像を示している。図３（ａ）は図２の瞳面Ｐ１に関する第１の瞳像を示し、図３（ｂ）及び図３（ｃ）はそれぞれ図２の瞳面Ｐ２に関する第２の瞳像を示す。図３（ａ）は空間的にインコヒーレントな放射ビーム３２０（の断面）を示し、図３（ｂ）及び図３（ｃ）は２つの異なる実施形態においてコヒーレントなオフアクシス照明ジェネレータ３２５によって生成されたオフアクシスビーム３３０（の断面）を示す。どの場合も、外円３９５の範囲は顕微鏡の対物系の最大検出ＮＡに対応する。これは、純粋な一例として、０．９５ＮＡであってもよい。
【００５７】
[0056]  瞳の各々における三角形４００は、互いに対して空間的にコヒーレントな１セットの瞳点を示す。同様に、バツ印４０５は、互いに対して空間的にコヒーレントな別の１セットの瞳点を示す。三角形バツ印及びビーム伝搬に対応する全ての他の瞳点に対して空間的にインコヒーレントである。（図３（ｂ）に示される例における）一般原則は、相互に空間的にコヒーレントな瞳点の各セット（点の各コヒーレントセット）は照明瞳Ｐ２内において他の全ての点のコヒーレントセットと同一の間隔を有するということである。よって、本実施形態においては、点の各コヒーレントセットは、他の全ての点のコヒーレントセットの瞳内における平行移動である。
【００５８】
[0057]  図３（ｂ）において、三角形４００によって表される点の第１のコヒーレントセットの各瞳点の間の間隔は、バツ印４０５によって表される点のコヒーレントセットの各瞳点の間の間隔と等しくなければならない。この文脈における「間隔」は指向性である。すなわち、バツ印のセット（点の第２のセット）は三角形のセット（点の第１のセット）に対して回転不能である。よって、オフアクシスビーム３３０の各々はそれぞれにインコヒーレントな放射を備えているが、オフアクシスビーム３３０全体では、それらの断面内に既知の位相関係（空間的コヒーレンス）を有する対応する点のセットを有する同一のビームを備える。なお、点の各セットの点は等間隔である必要はない（例えば、本例における４つの三角形４０５の間の間隔は、等しいことを要さない）。よって、オフアクシスビーム３３０は、瞳内で対称的に配置されなくてもよい。
【００５９】
[0058]  図３（ｃ）は、この基本的構想が、ビーム３３０Ｘが第１の方向（Ｘ方向）に対応しビーム３３０Ｙが第２の方向（Ｙ方向）に対応する場合に、単一の測定方向に対応するビームの間でのみ相互の空間的コヒーレンスを提供することまで拡張可能であることを示す。本例において、四角形及びプラス記号はそれぞれ、三角形及びバツ印によって表される瞳点のセットに対応するが必ずしも空間的にコヒーレントではない瞳点のセットを示す。しかしながら、バツ印は相互に空間的にコヒーレントであり、プラス記号もそうであり、バツ印はプラス記号の瞳における幾何学的な平行移動である。よって、図３（ｃ）においては、オフアクシスビームはペア単位でのみコヒーレントである。
【００６０】
[0059]  本実施形態において、オフアクシスビームは、方向、例えばＸ方向３３０Ｘ及びＹ方向３３０Ｙによって別個に検討される。キャプチャされたＸ方向の回折次数を生成するビーム３３０Ｘのペアは、（点４００Ｘのペアが相互にコヒーレントであり、点４０５Ｘのペアもそうであるように）互いにコヒーレントであるだけでよい。同様に、キャプチャされたＹ方向の回折次数を生成するビーム３３０Ｙのペアは、（点４００Ｙのペアが相互にコヒーレントであり、点４０５Ｙのペアもそうであるように）互いにコヒーレントであるだけでよい。しかしながら、点４００Ｘのペアと点４００Ｙのペアとの間、あるいは点４０５Ｘのペアと点４０５Ｙのペアとの間には、コヒーレンスが存在する必要はない。よって、検討される各測定方向に対応するオフアクシスビームのペアにはコヒーレントな点のペアが含まれている。前と同様、測定方向に対応するビームの各ペアに関しては、コヒーレントな点の各ペアは他の全ての点のコヒーレントなペアの瞳内における幾何学的な平行移動である。
【００６１】
[0060]  上記の説明において、ビームは全て空間的にインコヒーレントである。空間的にインコヒーレントな放射は、発光ダイオード、電球、レーザポンプ式プラズマ源又は任意の他の適当なインコヒーレント源を用いて得られるであろう。他の実施形態においては、ビームは偽空間的にインコヒーレントであってもよく、例えば、空間的インコヒーレンスを模倣するための１つ以上のプロセスを経ながらレーザなどのコヒーレントな照明源から生成されてもよい。これは、コヒーレントな放射マルチモードを作成すること及びディテクタの積分時間の間に様々な実現をアンサンブル平均することを備え得る。より具体的には、一実施形態においては、（空間的にコヒーレントなパターンである）スペックルパターンの多くの（例えばランダムな）実現が、例えば回転拡散板及びレーザによって、生成される。これらのランダムなスペックルパターンの実現のアンサンブル平均が決定される。これは干渉効果を平均し、したがって空間的インコヒーレンスを効果的に模倣する（干渉はディテクタ平面上で積分時間中に平均化される）。代替的な偽空間的インコヒーレンスアプローチは、例えばゴニオメータを用いて、様々な角度（モード）の単一モードレーザビームをスキャンする。
【００６２】
アライメント／位置センシングの作動原理
[0061]  図４は、メトロロジシステムの作動原理を図示している。図４（ａ）は、いくつかの実施形態においてアライメントマークとして用いることのできるターゲット４１０を図示する。ターゲット４１０は、マイクロ回折ベースオーバーレイ技術（μＤＢＯ）で用いられるものと類似していてもよいが、一般的にはアライメントマークを形成する際に単一の層のみに含まれる。よって、ターゲット４１０は、第１の方向（Ｘ方向）の２つの格子（周期構造）４１５ａと第２の垂直方向（Ｙ方向）の２つの格子４１５ｂとを含む４つのサブターゲットを備える。格子のピッチは、例えば、１００ｎｍと同じ桁（より具体的には、３００〜８００ｎｍの範囲内）を備え得る。
【００６３】
[0062]  図４（ｂ）は、瞳面Ｐ３（図２を参照）に対応する瞳表現を示す。同図は、オフアクシス照明ビームのうち１つのみ、より具体的には（この表現において左端の）オフアクシス照明ビーム４２０の散乱に続いてもたらされる放射を示す（このオフアクシス照明ビームはこの瞳内にはないであろう。このオフアクシス照明ビームの瞳面Ｐ２における場所は照明瞳における場所に対応し、ここでは説明のためにのみ示されている）。影の領域４２２は、一実施形態において用いられる特定のスポットミラー設計（白は透過領域を表す）の遮蔽（すなわち反射又は吸収）領域に対応する。このようなスポットミラー設計は、望まない光（例えばゼロ次及びゼロ次を包囲する光）が検出されないことを保証する瞳遮蔽の純粋な一例である。他のスポットミラープロファイル（又はゼロ次遮蔽一般）が用いられてもよい。
【００６４】
[0063]  見てわかるように、高次回折次数のうち１つのみ、より具体的には−１Ｘ方向回折次数４２５のみがキャプチャされる。＋１Ｘ方向回折次数４３０、−１Ｙ方向回折次数４３５、及び＋１Ｙ方向回折次数４４０は瞳の外側に落ち（検出ＮＡはスポットミラー４２２の範囲によって表される）、キャプチャされない。任意の高次（図示しない）も検出ＮＡの外側に落ちる。ゼロ次４４５は、説明のために示されているが、実際にはスポットミラー又はゼロ次遮蔽４２２によって遮蔽されるであろう。
【００６５】
[0064]  図４（ｃ）は、４つ全てのオフアクシスビーム４２０（やはり純粋に説明のために示されている）の結果として生じる瞳（キャプチャされた次数のみ）を示す。キャプチャされた次数は、−１Ｘ方向回折次数４２５、＋１Ｘ方向回折次数４３０’、−１Ｙ方向回折次数４３５’、及び＋１Ｙ方向回折次数４４０’を含む。これらの回折次数はカメラでイメージングされ、図４（ｄ）に示されるように、縞パターン４５０を形成しながら干渉する。図示される例においては、回折次数が瞳内で斜めに配置されているために縞パターンは斜めであるが、他の配置が可能であり、それによって異なる縞パターン配向がもたらされる。
【００６６】
[0065]  アライメントセンシングに使用可能な他のメトロロジデバイスと同様に、ターゲット格子位置のシフトは、方向毎に＋１回折次数と−１回折次数との間の位相シフトを引き起こす。回折次数はカメラ上で干渉するので、回折次数間の位相シフトは、カメラ上の干渉縞の対応するシフトをもたらす。したがって、カメラ上の干渉縞の位置からアライメント位置を決定することが可能である。
【００６７】
[0066]  図５は、アライメント位置がどのようにして干渉縞から決定され得るのかを図示する。図５（ａ）は、ターゲットが第１の位置にあるときのある干渉縞のセット５００（すなわち縞パターン４５０の１つのクアドラント（四分円）に対応する）を示し、図５（ｂ）は、ターゲットが第２の位置にあるときの干渉縞のセット５００’を示す。固定基準線５１０（すなわち両方の画像に関して同じ位置にある）が、２つの位置の間での縞パターンの移動を目立たせるために示されている。アライメントは、既知の手法で、パターンから決定された位置を固定基準（例えば透過イメージセンサ（ＴＩＳ）フィデューシャル）の測定から得られた位置と比較することによって、決定することができる。アライメントには、（例えば単一の格子アライメントマークからの）単一の縞パターン又は（例えば２つの格子アライメントマークからの）方向毎に単一のパターンを用いることができる。２方向のアライメントを行うための別のオプションは、単一の２Ｄ周期パターンを有するアライメントマークを用いるであろう。また、非周期的なパターンも本明細書に記載のメトロロジデバイスによって測定され得る。アライメントマークの別のオプションは、図４（ａ）に図示されるような４つの格子のターゲット設計を備えていてもよく、これは、現在オーバーレイを測定するために一般的に用いられるものと類似している。よって、これらのようなターゲットは一般的には既にウェーハ上に存在しており、したがってアライメント及びオーバーレイには類似したサンプリングが用いられ得る。そのようなアライメント方法は既知であり、更なる説明はしない。
【００６８】
[0067]  図６は、提案されるメトロロジデバイスがどのようにしてスペックルアーチファクトを最小化するのかを図示する。これは、像面Ｉ１，Ｉ２，Ｉ３，Ｉ４を検討することによって最もよく理解される。各像面はそれぞれ、マルチモードファイバ３１５の出力に像面Ｉ１を、オフアクシス照明ジェネレータ３２５に像面Ｉ２を、基板３５０に像面Ｉ３を、そしてカメラ３６５に像面Ｉ４を備える。像面の各々における各点は、独立して検討され得る。まず、マルチモードファイバ出力Ｉ１（空間的にインコヒーレントな照明６００，６００’を備える）の三角形によって示される点を検討する。この点は、像面Ｉ２でオフアクシス照明ジェネレータ上にイメージングされる。点はその後、基板上のターゲットＴ上に２つのオフアクシスビーム６１０，６１０’（方向毎）としてイメージングされる。これらのオフアクシスビームは、互いに対して（オフアクシス照明ジェネレータによって決定される）固定された位相関係を有する。入射オフアクシスビーム６１０，６１０’は、実際には、瞳面におけるビームの範囲によって決定される角度範囲を有する円錐体である。基板平面Ｉ３のターゲットＴは、三角形によって示される点に関して入射オフアクシスビーム６１０を回折し、位置情報を担持するオフアクシスビーム間の位相差を適用する。これに対して、バツ印によって示される位置は、基板平面Ｉ３の非ターゲット位置に対応する（すなわちターゲットＴの縁部に直に隣接する）。この領域の欠陥（例えば光学素子の縁部又は光学素子の欠陥）は、カメラ平面Ｉ４の他の位置への放射６１０’の散乱をもたらし得る。これは、ここでは三角形によって示される場所に対応する場所に向かう散乱線６２０によって示されている。ターゲットＴに対応する各位置について、＋１及び−１回折次数６３０は、カメラＩ４上で干渉し、基板上の局所的な位置情報をカメラ上の局所的な強度に変換する。この解釈において、実質的に空間的にインコヒーレントな照明を用いることの利点は明らかである。空間的にコヒーレントな照明が用いられた場合、欠陥によって散乱された放射６２０は（たとえ非常に少量であっても）、カメラ平面の異なる場所へと散乱され得、その後、その場所で放射と干渉してスペックル（及びそれに伴うアライメントエラー）を引き起こすであろう。これに対し、提案されるメトロロジデバイスにおいて用いられる照明のほとんどはインコヒーレントであり、したがって、カメラ上の所望でない場所に散乱された散乱光６２０はスペックルを引き起こさない。よって、各照明ビームの空間的インコヒーレンスは、（完全にコヒーレントなセンサと比べて）このセンサの正確性及びロバスト性を高める。
【００６９】
オフアクシス照明ジェネレータ
[0068]  照明ビーム、及び特にそれらのコヒーレンス特性は、提案されるメトロロジデバイスの重要な側面である。照明ジェネレータの望ましい特性は、以下のものを含むであろう。
・全ての波長（５００〜９００ｎｍ）が（光学素子の切り替え／移動を回避しつつ小ピッチ能力を最適化するために）照明瞳において同じ照明角度と、したがって同じ場所とを有する。
・（瞳点のセット間のコヒーレンスを保証するために）経路長を一致させることの難度が低い。
・照明の偏光に対して悪影響がない。
【００７０】
[0069]  本明細書に記載されるデバイスのいずれかのオフアクシス照明ジェネレータ（例えば図２のオフアクシス照明ジェネレータ３２５）は、様々に実装され得る。オフアクシス照明ジェネレータは、その最も単純な実施形態においては、位相格子（例えば２Ｄ位相格子）を備えていてもよい。位相格子の回折効率は８０％、すなわち１次で４０％及び−１次で４０％になり得る。この効率は、最適波長から離れると、恐らく約２０％まで下がるであろう。システムの全体的な光効率は、恐らく５〜２０％程度になるであろう。
【００７１】
[0070]  単一の位相格子を用いることの利点は、単一の位相格子は、システムがキャプチャした画像をスミアアウトすることなく広帯域の照明を使用する（例えば同時に１００ｎｍの帯域幅をオンにする）ことを可能にするという点である。これは、図８に記載される効果（以下を参照）は、単一の位相格子のみを用いるときには発生しないであろうからである。固定された照明格子及び固定された瞳絞りが用いられると仮定すると、欠点は、より短い波長の照明角度は比較的小さくなるので、小さいピッチを分解することがより難しくなり、全波長範囲についてゼロ次を遮蔽するためには瞳絞りがかなり大きくなくてはならないということを含む。大きな瞳絞りはピッチの柔軟性を限定する（所望の１次回折次数が瞳のその部分にある場合、その１次回折次数も遮蔽されるであろう）。
【００７２】
[0071]  図７（ａ）は、様々な波長を様々な照明角度に分散させない、改良された格子ベースのオフアクシス照明ジェネレータ７３７を示す。第１の格子７４０（一般的には位相格子）は照明７４５によって照明される。この格子は瞳面内にある。すなわち、格子は顕微鏡対物系の後側焦点面上にイメージングされるであろう。格子は照明７４５を＋１回折次数及び−１回折次数に回折させる（０次及び高次は、ここでは無関係であり、追加のビームストップによってシステム内で物理的に遮蔽されるか又は単に無視されるであろう）。単純にするために、照明は単一の光線として描かれている。現実には、（インコヒーレントな）照明はある範囲の角度及び位置を含んでおり、（様々な角度及び位置を有する）ある範囲の光線として示され得る。様々な波長が様々な角度で回折される。単純にするために、２つの波長λ１及びλ２のみが示されている。よって、格子は放射を、第１の波長７５０＋λ１については＋１回折次数に回折させ、第２の波長７５０＋λ２については＋１回折次数に回折させ、第１の波長７５０−λ１については−１回折次数に回折させ、第１の波長７５０−λ２については−１回折次数に回折させる。第１の光学コンポーネント（例えばレンズ）７５５は、回折された照明７５０＋λ１，７５０＋λ２，７５０−λ１，７５０−λ２を効果的にフーリエ変換する。フーリエ平面内にはくさび７６０ａ，７６０ｂが設置される。一方のくさび７６０ａは、＋１回折次数７５０＋λ１，７５０＋λ２を第１の方向に傾斜させる。他方のくさび７６０ｂは、−１回折次数７５０−λ１，７５０−λ２を第２の（例えば光軸Ｏを中心として対称的な）方向に傾斜させる。くさび７６０ａ，７６０ｂは対物瞳のフーリエ平面（後側焦点面）内にあるので、くさび７６０ａ，７６０ｂによって誘発される傾斜は、（フーリエ関係により）瞳面におけるビームの位置を決定する。第２の光学コンポーネント（例えばレンズ）７６５は、ビームを変換して瞳面に戻す。ビームは今や空間的に分離されている。この平面内には、次数をゼロ次に戻すために、第２の格子７７０（例えば位相格子）が設置される。これにより、異なる波長の同じ回折次数（例えば７５０＋λ１と７５０＋λ２、７５０−λ１と７５０−λ２）が空間的に重ならないことばかりでなく、同一の入射角を有することが保証される。レンズ７５５，７６５が等しい焦点距離を有する場合には、第１及び第２の格子７４０，７７０は等しいピッチを有するべきである。最後に、（ゼロ次に回折されない）高次の光漏れを除去するために、更に２つのレンズ７７５及び空間フィルタ７８０が設けられてもよい。
【００７３】
[0072]  図７（ａ）のオフアクシス照明ジェネレータは、２つの照明ビームに関して記載されている。４つのビームに一般化する簡単な手法は、２Ｄ格子と４倍くさび（4-fold wedge）とを用いることであろう。任意選択的には、例えば瞳内の左端及び右端のビームに対応するくさびセグメントに数ミリメートルのガラスを追加して、上端のビーム及び下端のビームに対する経路長差を誘発してもよい。この場合、ビームはペア単位でコヒーレントであろう。これは、いくつかの実施形態においては、４つのビーム全てをコヒーレントにするよりも好適であり得る。
【００７４】
[0073]  図７（ｂ）（上面図）及び図７（ｃ）（側面図）はオフアクシス照明ジェネレータの代替的な一実施形態を図示しており、このオフアクシス照明ジェネレータ７００は、ビームスプリッタ７０５及びリフレクタ７１０コンポーネントの組み合わせを用いて、入力ビーム７２０から４つのオフアクシスビーム７１５を生成している。
【００７５】
[0074]  図７（ｄ）は類似した配置のオフアクシス照明ジェネレータ７２５を示しているが、このオフアクシス照明ジェネレータは、レトロリフレクタ７１０’の位置の調節によって瞳内のビーム位置の調節を可能にしている。説明のために中間段７３０及び出力７３５の瞳が示される。ｘ方向におけるレトロリフレクタ７１０’の位置は、瞳７３０における２つのビームの経路長が一致するようにチューニングされて、それらが（ペア単位で）コヒーレントになることを保証している。レトロリフレクタ７１０，７１０’の位置は、瞳７３０における２つのビームの位置をチューニングするために、入射ビームの方向に垂直にチューニングすることもできる。
【００７６】
[0075]  瞳７３０において、２つのビームは点単位でコヒーレントである。構成の下半分（特に下部リフレクタ７１０）は、瞳７３５に示される左上及び右下のビームを得るために、反転コピーを作成する。よって、これら左上及び右下のビームもまた点単位でコヒーレントになる。しかしながら、下部プリズム７１０及び下部ミラー７３６の側を通る経路は一般的には一致せず、したがって「斜め向かい」のビームのみがコヒーレントであり他はインコヒーレントである。よって、オフアクシス照明ジェネレータ７２５は、ペア単位でコヒーレントな照明ビームを提供するのに向いている。
【００７７】
[0076]  レトロリフレクタ７１０，７１０’は、基本的に、様々な角度での反射を含む「キューブコーナー」、又は設置された（例えば、２つのビームが瞳７３０の対角線上にあることを保証するために、図面の平面に対して４５度の角度で配向された）直角プリズムであってもよい。偏光がはっきりと定義されること及び全ての反射面において（偏光混合を防ぐべく）純粋に「ｓ」又は純粋に「ｐ」の偏光が存在することを保証するために、ビームスプリッタとプリズム７１０，７１０’との間に追加的な２分の１波長板が設置されてもよく、ビームスプリッタの前（例えば場所７２０）に追加的なポラライザが設置されてもよい。
【００７８】
[0077]  なお、相互にコヒーレントであることが意図されるビームの光路長は、コヒーレンス長内で一致する必要がある。これには恐らく、いくつかのビームにおいて、追加的な素子、例えば追加的なガラス、あるいは遅延段が必要となるであろう。
【００７９】
[0078]  図７（ｂ）から図７（ｄ）の実施形態は、全ての波長が同じ照明角度を有するという、図７（ａ）に示される利点を共有している。
【００８０】
[0079]  オフアクシス照明ジェネレータの更なる代替的な実装形態は、空間光変調器（ＳＬＭ）のようなビーム整形コンポーネントを用い得る。しかしながら、そのような配置はスポットミラーとは相容れないものであろうから、スポットミラーを、例えばビームスプリッタ及び制御可能な瞳フィルタによって置き換えることが必要であろう。そのような配置は、アライメント以外のメトロロジ用途により向いている。
【００８１】
複数波長測定
[0080]  よりプロセスロバストになる（測定の多様性を促進する）ためには、複数の波長（及び恐らくはより高次の回折次数）を測定できるのが望ましい。これにより、例えば、格子の非対称に対してロバストになるための、最適な色加重（optimal color weighing（ＯＣＷ））などの技術の使用が可能になるであろう。特に、ターゲットの非対称は、波長毎に異なるアライメント済み位置をもたらす。これにより、様々な波長のアライメント済み位置（aligned position）の差を測定することによって、ターゲットにおける非対称を決定することが可能である。一実施形態においては、各々が異なる波長に対応する個々の画像のシーケンスを得るために、複数の波長に対応する測定が同じカメラで連続的にイメージングされ得る。代替的には、これらの波長は、ダイクロイックミラーなどの適当な光学コンポーネントを用いて分離された状態で、各々が別個のカメラ（又は同じカメラの別個の領域）で並行してイメージングされてもよい。
【００８２】
[0081]  別の一実施形態においては、単一のカメラ画像において複数の波長（及び回折次数）を測定することが可能である。様々な波長に対応する照明ビームが瞳内の同じ場所にあるとき、カメラ画像上の対応する縞は、様々な波長の様々な配向を有するであろう。ほとんどのオフアクシス照明ジェネレータ配置はこれに当てはまるであろう（例外は単一の格子であり、照明格子及びターゲット格子の波長依存性が相殺する傾向がある）。
【００８３】
[0082]  図８はそのような画像８００の一例を示すものであり、各々が異なる波長に対応する第１の回折パターン８１０（黒色の線）と第２の回折パターン８２０（灰色の線）とを示している。観察される縞パターンの周期及び角度は、照明波長に直接関係する。そのような画像の適切な処理によって、複数の波長（及び次数）のアライメント位置を１度のキャプチャで決定することができる。これらの複数の位置は、例えば、ＯＣＷのようなアルゴリズムのための入力として用いることができる。
【００８４】
他のメトロロジ用途−位相ベースのもの
[0083]  メトロロジデバイスには、アライメントセンシング以外の用途がある。例えば、メトロロジデバイスは、オーバーレイ（層のペア間の相対的アライメント）の測定に向いている。第１の実施形態においては、画像ベースのオーバーレイ技術を説明する。画像ベースのオーバーレイは、アライメントに非常に類似している。重要な相違は、アライメントの場合、絶対位置測定を確立するために、位相が固定基準、例えばＴＩＳ板に対して比較されるという点である。画像ベースのオーバーレイの場合には、条件はもっと緩やかであり、基準は同じスナップショット／測定領域においてキャプチャされる第２の格子によって形成される。２つの格子間の相対変位を用いてオーバーレイを決定することができる。この測定は、固定基準によるベンチマーキングを必要とせずに行うことができる。カメラと連携する画像ベースのオーバーレイセンサの場合、両方の格子が単一の画像内において同時にキャプチャされるのが好適である。しかしながら、これは不要であり、２つの画像は、例えば縫合されてもよい。
【００８５】
[0084]  図９は、（ａ）画像ベースのオーバーレイメトロロジのための提案されるオーバーレイターゲット９００と、（ｂ）ターゲット９００の測定の結果もたらされる画像キャプチャ９１０とを示す。従来と同様、ターゲット９００は、Ｘ方向のオーバーレイの測定のためのクアドラント９２０Ｘと、Ｙ方向のオーバーレイの測定のためのクアドラント９２０Ｙとを備えている。各クアドラント９２０Ｘ，９２０Ｙは、２つの格子９２５ａ，９２５ｂを備えている。これらの２つの格子９２５ａ，９２５ｂは、一般的には異なる層にあるが、縫合されたダイの２つの部分の相対的アライメントを測定するためのスティッチングタイプのマークは、単一の層内に両方の格子を有し得る。オーバーレイは、格子９２５ａに対応する干渉パターン９３０ａと格子９２５ｂに対応する干渉パターン９３０ｂとの間のオフセットとして現れるであろう（このオフセットを２方向で図示するために基準線９４０Ｘ，９４０Ｙが示されている）。
【００８６】
[0085]  メトロロジデバイスの設計は、小さなピッチを有する格子に最適化される。しかしながら、デバイスは、例えば現在使用されているであろうターゲットとの互換性を維持するべく、より大きな（例えば１μｍよりも大きな）ピッチを有するターゲットを測定するために用いることが可能である。そのような大きなピッチの問題は、＋１次、−１次よりも高次の回折次数、とりわけ＋３及び−３回折次数がキャプチャされるであろうという点である。これらはそれぞれ＋１次及び−１次に干渉し、強度パターン及びその解釈を複雑化する。もっとも、画像は、フーリエ解析及びフィルタリング技術を用いて分解することができる。代替的には、所望でない高次がカメラに到達するのを遮蔽するために、照明瞳及び検出瞳に好適に位置する空間フィルタが用いられてもよい。そのようなフィルタは、他の（所望の）ピッチからの回折は遮蔽しないように、ターゲット毎に最適化されなければならない。
【００８７】
[0086]  別のタイプの現在使用されているターゲットとの後方互換性を維持するための別のアプローチが提案される。これにより、提案されるメトロロジセンサを用いた通常のμＤＢＯターゲットについてのオーバーレイの測定が可能になる。そのようなμＤＢＯベースのオーバーレイターゲットは一般的には重なり合う２つの格子を備え、それによって「非対称格子」を作り出す。非対称の度合いは、オーバーレイ（２つの格子間のオフセット）に応じて決まる。（現行の方法を用いた）ターゲットの測定は、ターゲットの非対称及びひいてはオーバーレイに依存する正の回折次数と負の回折次数との間の強度不均衡を検出することを備える。
【００８８】
[0087]  提案されるアプローチは、ターゲットの非対称は波長毎に異なるアライメント済み位置をもたらすという事実に依るものである。それにより、様々な波長についてアライメント済み位置のこの相違を測定することによって、非対称を決定することができ、そこからオーバーレイ値を抽出することが可能である。クアドラント毎にバイアスの異なる一般的なμＤＢＯを用いれば、μＤＢＯメトロロジにおいて既に採用されているものに類似の方法を使用して、オーバーレイに起因する非対称を他の非対称（例えば格子のうち１つの格子非対称）と区別することが可能になるはずである。
【００８９】
他のメトロロジ用途−強度ベースのもの
[0088]  カメラ上での干渉パターン及び干渉縞の位置のイメージングを備える位相ベースの測定に加え、提案されるメトロロジデバイスは、強度ベースのメトロロジにも用いることができる。これには２つの主な用途がある。１つ目の用途は、（説明したような）アライメント測定の一部としてアライメントマークの非対称を測定及び補正することである。２つ目の用途は、前項で説明したものに代わる、現在使用されているμＤＢＯターゲット（又はμＤＢＦターゲット）からオーバーレイを測定する方法を提供する。
【００９０】
[0089]  これがどのようにして達成され得るのかを理解するために、まず、本明細書に記載のメトロロジデバイスを用いて、完全に対称のターゲット（例えば図４（ａ）に示される形のアライメントマーク）の測定について考える。各クアドラントの（例えば平均の）強度レベルは等しいことが示され得る。次に、同じ測定ではあるが、１つのクアドラント（例えばＸ方向のクアドラント）は非対称性を有し、他の全てのクアドラントは対称であるターゲットについて考える。この場合、非対称なターゲットクアドラントに対応する画像クアドラントは、縞パターンの位相シフト（異なるアライメント位置と解釈してもよい）及び縞コントラスト／縞視認性の低減を示すであろう。また、Ｘ方向のターゲットクアドラントに対応する２つの画像クアドラントは、強度不均衡を示し得る。これを利用して非対称を測定することが提案される。
【００９１】
[0090]  オーバーレイマークは、強度及び位相の両方について＋１と−１との間の非対称（すなわち強度非対称及び位相非対称）を課す（impose）。一般的に、ＤＢＯメトロロジにおいては、強度の非対称のみが測定される。本明細書に記載のメトロロジデバイスの利点は、強度非対称と位相非対称との両方を（同時に）測定できることである。なぜなら、位相の非対称は縞パターンのシフトをもたらすからである。強度非対称と位相非対称とは互いに相補的なものであるため、これは有用である。両方の非対称を測定することによって、波長とスタック厚さとの任意の組み合わせについてオーバーレイを効率的に測定することが可能になる。これに対し、オーバーレイに対する強度（のみの）非対称の感度は波長に大きく依存するものであり、したがって、スタックに依存する波長のサブセットに対してしか働かない。
【００９２】
[0091]  強度の非対称は、暗視野ＤＢＯメトロロジにおいて現在行われているのと同様に、様々な画像の＋１次と−１次とを分離することによって測定することができる。代替的には、強度非対称は、干渉縞コントラストから推定され得る。強度非対称と干渉縞コントラストとは直接関係するからである。強度非対称が存在する場合には、完全な弱め合う干渉は存在せず、したがって縞コントラストは１未満である。
【００９３】
[0092]  第１の実施形態においては、任意の１回で単一の高次回折次数だけがキャプチャされるように、選択的照明モードを用いることが提案される（次数を分離するために、くさびも用いられてもよい）。図１０（ａ）は第１の提案される照明モードを示しており、ここでは、たった１つのオフアクシスビーム１０００がターゲットを照明し、したがって＋１Ｘ方向次数１０１０のみがキャプチャされる。その結果もたらされる画像が図１０（ｂ）に示されている。２つのＸ方向クアドラント１０２０Ｘに強度の領域があり（＋１回折次数しか存在していないので縞パターンは視認できない）、これらの２つのクアドラント間には明確な強度差が視認できる（ここでは濃淡の差で図示されており、淡い方がより大きい強度を示す）。Ｙ方向の回折次数はキャプチャされなかったので、Ｙ方向クアドラント１０２０Ｙは視認できない（実質的にゼロ強度）。図１０（ｃ）は第２の提案される照明モードを示しており、ここでは、−１Ｘ方向次数１０３０のみがキャプチャされるように、異なるオフアクシスビーム１０２０がターゲットを照明するべく選択される。その結果もたらされる画像が図１０（ｄ）に示されている。ここでも、２つのＸ方向クアドラント１０２０Ｘ’は明確な強度差を示し、２つのＹ方向クアドラント１０２０Ｙ’は視認できない。Ｙクアドラント非対称を決定するために、同じ原理を用いて単一のＹ回折次数のみをキャプチャできることが理解されるであろう。すると、オーバーレイは、現在ＤＢＯにおいて行われているのと同様に、対向する＋１回折次数と−１回折次数との間の差（例えば、クアドラントの対応するペアの一方又は両方の、クアドラント１０２０Ｘ及び１０２０Ｘ’の強度差）から推定できる。
【００９４】
[0093]  第２の実施形態においては、＋１回折次数及び−１回折次数は、干渉してカメラ上に図４（ｄ）及び図５に記載されているような干渉縞パターンを形成し、オーバーレイは縞コントラストから、又は好適には縞の位置（位置非対称）とオーバーレイによる縞コントラスト（強度非対称）との組み合わせから、１回の測定で推定される。そのような実施形態が、図１０（ｅ）及び図１０（ｆ）によって概略的に図示されている。図１０（ｅ）は、非対称がない（ゼロオーバーレイ）オーバーレイターゲットを測定することによってもたらされる干渉縞パターン１０３０を示す。図１０（ｆ）は、同じオーバーレイターゲットであるが非対称が存在する場合（例えば非ゼロオーバーレイ）のものを測定することによってもたらされる干渉縞パターン１０５０を示す。（例えば、両方の図面で同じ位置にある固定基準１０４０に対して）縞位置にシフトがあることが見て取れる。縞コントラストは干渉縞パターン１０３０よりも干渉縞パターン１０５０の方が低いことも見て取れる（例えば、縞パターン１０５０では縞がよりぼけている）。干渉縞のシフト及び／又は画像コントラストの変化の両方の測定は、ターゲットからオーバーレイを測定するために用いることができる（例えば、両者がオーバーレイによって単調に又は線形的に変化すると推測することができる）。
【００９５】
[0094]  これらの非対称の実施形態の全てで、既知の手法でオーバーレイを他の処理非対称と区別するために、ターゲットにおいて意図的なオフセットが実装され得る。例えば、標準的なμＤＢＯターゲット（すなわち、方向毎に２つのクアドラントを備え、各々が異なるバイアスを有する）を測定することによって、現在用いられているμＤＢＯ技術に似た手法で、オーバーレイ以外のターゲット非対称を補正しつつ決定された非対称に基づいてオーバーレイを測定することが可能である。
【００９６】
[0095]  上記のアプローチは、アライメント測定においてアライメントマーク非対称を決定及び／又は補正するためにも用いることができる。また、提案されるメトロロジツールは、この非対称補正がマーク自体の中で行われることを可能にする（関心領域（ＲＯＩ）選択）。ＲＯＩは様々なフィッティングルーチンを適用するために特定され得る（ＲＯＩ選択について更に詳しくは、可変関心領域選択と題された項を参照のこと）。このようにすれば、マーク自体の中で変形を補正することが可能である。
【００９７】
[0096]  また、この方法はターゲット非対称を測定することを備えるので、焦点又はドーズ依存的な非対称を備えて設計されたターゲット（例えばＤＢＦ又はμＤＢＦターゲット）を介する焦点又はドーズの測定など、他のターゲット非対称ベースのパラメータを測定するためにも用いられ得ることが理解されるであろう。
【００９８】
[0097]  戻って図１０（ａ）を参照すると、（少なくとも図７（ｄ）のプリズムベースのオフアクシス照明ジェネレータの場合）＋１Ｘ方向次数は、ピッチ及び波長の関数として、矢印１０２５に沿って移動するように限定されることがわかる。したがって、＋１Ｘ方向次数は瞳の上２つのクアドラントに沿った移動に限定されるであろう。同様に、−１Ｘ方向次数は、ピッチ及び波長の関数として、矢印１０２５’に沿って移動するように限定され、したがって瞳の下２つのクアドラントに沿った移動に限定される。位相格子ベースのオフアクシス照明ジェネレータの場合には、次数は、格子ピッチの関数として、表示された方向で（矢印１０２５又は１０２５’に沿って）のみ移動し、波長を変更すると、回折次数は瞳の中心に向かって又は瞳の中心から遠ざかるように移動するであろう。よって、位相格子ベースのオフアクシス照明ジェネレータの場合、移動は、波長の関数としては１つのクアドラントのみ（しかし、ピッチの関数としては依然として２つのクアドラント）に限定される。
【００９９】
[0098]  図１０（ｇ）は、Ｘ方向次数及びＹ方向次数を有する２Ｄマーク（例えばμＤＢＯマーク又は類似のもの）に関する状況を示す。−１Ｘ方向次数は矢印１０６０ａに沿った場所に制約され、＋１Ｘ方向次数は矢印１０６０ｂに沿った場所に制約される。＋１Ｙ方向次数は矢印１０６０ｃに沿った場所（左のクアドラントのみ）に制約され、−１Ｙ方向次数は矢印１０６０ｄに沿った場所（右のクアドラントのみ）に制約される。したがって、所与のピッチ及び波長については、（Ｘ方向格子とＹ方向格子とで同じピッチであると推測して）クアドラント毎に単一のＸ次又はＹ次しか存在しない。
【０１００】
[0099]  このことは、一実施形態においては、瞳面（図２に示される平面Ｐ３）に４つの光学くさびを設置することによって利用することができる。スキャトロメトリメトロロジにおいて複数の次数を同時にイメージングするための光学くさびの構想は、例えば、米国特許出願公開第２０１１／０１０２７５３号明細書及び米国特許出願公開第２０１２／０２０６７０３号明細書に記載されている。両明細書は参照により本明細書に組み込まれる。両方向の＋１次及び−１次回折ビームは、くさびによってカメラの様々な部分に向けられ、そこでイメージングされる。これの利点は、四等分された照明アパーチャを用いるときよりも無駄になる（遮蔽される）光が少なく、信号が改善されるという点である。
【０１０１】
[00100]  図１０（ｈ）は、クアドラント毎にサブ画像を備える結果画像を概略的に図示している。ピッチ／照明の組み合わせに応じて、サブ画像１０７０ａ〜１０７０ｄの全てが、第１のリストされた回折次数又は第２のリストされた回折次数から成るであろう。この特定の例においては、第１のピッチ／照明の組み合わせに関しては、第１のサブ画像１０７０ａが＋１Ｙ方向次数から形成され、第２のサブ画像１０７０ｂが＋１Ｘ方向次数から形成され、第３のサブ画像１０７０ｃが−１Ｙ方向次数から形成され、第４のサブ画像１０７０ｄが−１Ｘ方向次数から形成される。第２のピッチ／照明の組み合わせ（例えばずっと小さいピッチ）に関しては、第１のサブ画像１０７０ａが＋１Ｘ方向次数から形成され、第２のサブ画像１０７０ｂが＋１Ｙ方向次数から形成され、第３のサブ画像１０７０ｃが−１Ｘ方向次数から形成され、第４のサブ画像１０７０ｄが−１Ｙ方向次数から形成される。各次数の測定値を得るために、ＲＯＩ選択がこの画像に適用され得る（以下を参照）。
【０１０２】
[00101]  また、各サブ画像は＋１次又は−１次のみを含むので、マーク非対称を補正するために用いられ得る強度チャンネルを生成することが可能である。これは、キャプチャされた各回折次数に関係する強度チャンネルの別個の監視を備えるであろう。＋１次と−１次との間の強度差は、（マーク）非対称のフィンガープリントとして用いることができる。このフィンガープリントに基づいて、この非対称を緩和するアライメント済み位置の補正を決定することが可能である。以前のフォトダイオードベースのアライメントセンサにおいては、検出された放射がマークに由来するのかそうでないのかを判定することができず、したがってスポットはマークをアンダーフィルしなければならなかった。本明細書に記載のカメラベースのメトロロジデバイスによれば、放射がどこに由来するのかを区別することが可能であり、したがって、マスクのオーバーフィル及びアンダーフィルの両方が可能である。
【０１０３】
[00102]  別の一実施形態においては、４つの光学くさびは格子に置き換えられる。これらの格子は、全てのゼロ次及び全ての１次回折ビームのみをカメラ上に向けるように最適化され得る。そのような配置によれば、追加的なサブ画像（第５のサブ画像）が全てのゼロ次ビームから生成される。これらのゼロ次ビームは、既に説明した方法を用いて解釈することのできる干渉縞パターンをカメラ上に形成するように干渉し得る。この第５のサブ画像は、例えば、像面の中央に（例えば図１０（ｇ）のサブ画像１０７０ａ〜１０７０ｄに対して中央に）位置していてもよい。したがって、この方法は、カメラ上の干渉縞パターンと対応する１次回折パターンとの同時検出を可能にする。これにより位相及び強度の同時検出が可能となる。ソース励起メトロロジ誤差は、能動的に監視され得ると共に測定されたデータから効果的に分離され得る。メトロロジシステムの精度はこうして改善することができる。
【０１０４】
可変関心領域選択
[00103]  提案されるメトロロジデバイスが測定するように設計されているもののような小さなターゲットは、一般的にはその形成の際に（例えば処理に起因する）変形を免れない。こうした変形は、例えば、ランダムなエッジ効果、マークに対するくさび作用（wedging over the mark）、局所的な格子非対称のばらつき、局所的な厚さのばらつき及び／又は（局所的な）表面ラフネスにつながり得る。変形したマーク上で基板アライメントを行うとき、マーク全体又は固定された関心領域を平均することは、一般的にはアライメントエラーにつながるであろう。
【０１０５】
[00104]  したがって、精度／ロバスト性を高めるために、可変関心領域（ＲＯＩ）選択及び可変画素加重を用いることが提案される。アライメント位置をマーク画像全体（例えばμＤＢＯ）又は（各クアドラントの中央領域全体又はターゲット全体など、すなわちエッジ領域を除く）固定された関心領域に基づいて決定する代わりに、ターゲット毎にＲＯＩを最適化することが提案される。最適化は、例えばクアドラント毎に行われてもよい。最適化は、任意の形状の１つのＲＯＩ又は複数のＲＯＩを決定し得る。図１１は、純粋な一例として、そのような任意の形状のＲＯＩ１１００の一例を示している。
【０１０６】
[00105]  また、更なるオプションとして、最適化されたＲＯＩの加重組み合わせを決定することも提案される。加重は１つ以上の品質メトリクス又は重要性能インジケータ（ＫＰＩ）に従って割り当てられる。
【０１０７】
[00106]  よって、１つ以上のＫＰＩに基づいて、最適化されたエリア（ＲＯＩ）又は加重画素組み合わせをターゲット毎に選択することが提案される。例示的なＫＰＩは、次のうち１つ以上を備えるであろう。
・画像の局所的な均一性
・画像から決定された（局所的な）アライメント位置の局所的な均一性
・最小の局所的な色毎の画像変動（color-to-color image variation）
・最小の局所的な色毎のアライメント位置変動（color-to-color alignment position variation）
・最小の局所的な次数間シフト（＞１μｍのピッチのみについて）
・最大の局所的な縞コントラスト
・選択されたＲＯＩの関数としての測定された又はモデル化されたアライメント／オーバーレイ（又はデバイス性能）
・アライメント、オーバーレイ又は他のメトリックの改善につながることが経験的にわかっている任意の他のＫＰＩ
【０１０８】
複数ターゲットイメージング
[00107]  提案されるメトロロジデバイスは、既に述べたように、リソグラフィパターニングプロセスの際に基板の位置を測定するためのアライメントセンサとして用いることができる。一般的には、スキャナは、選ばれた単一の層に対してのみ位置合わせすることができる。すると、他の層に対するアライメントも許容可能であることが推測される（又は例えば先のオーバーレイ測定から既知である）。しかしながら、ある層（例えば層Ｎ）が関連する先の層のうちいくつか又は全てに対して直接的に位置合わせされ得るのであれば、アライメントはより直接的になるであろう。したがって、本明細書に記載されたメトロロジデバイスを用いて、１回の画像キャプチャで異なる層の複数のマークに位置合わせすることが提案される。例えば、層Ｎは、（最も重要なことには）層Ｎ−１に対してＸ方向の、そして同時に、層Ｎ−２に対してＹ方向のアライメントを必要とするであろう。層Ｎが複数の層に対して各方向で位置合わせされる必要がある場合さえあるかもしれない。例えば、層Ｎは、層Ｎ−１及びＮ−３に対してはＸ方向で、そして層Ｎ−２及びＮ−４に対してはＹ方向で位置合わせされる必要があるかもしれない。これはかなり複雑なアライメントツリーにつながり得る。
【０１０９】
[00108]  図１２は、各々が一般的に異なる層内に位置する４つのアライメントマークの画像の一例を示す。４つのマークは、単一画像の視野内で同時にキャプチャされる。４つのマークの応答は関心領域（ＲＯＩ）の選択によって分離することができるので、各マークは別個に解析され得る。例えば、アライメント位置は、各マークについて（従って各層について）別個に決定することができる。その後、これらの複数のアライメント位置から最適な露光位置を決定することができる。最適な露光位置を決定するための戦略の一例は、アライメント位置の平均（関連する層の平均）をとることを備え得る。ある特定の層に対するアライメントが別の層に対するよりも重要である場合、加重平均がとられてもよく、より重要な層にはより大きな加重が割り当てられる。
【０１１０】
[00109]  アライメントの観点で複数イメージングの構想が説明されるが、これは、異なる層のペアに関する複数のオーバーレイ値を決定することなど、他のメトロロジ技術にも適用可能である。すると、オーバーレイ補正を複数の層のペアについて同時に最適化することができる。
【０１１１】
偏光分解イメージング
[00110]  図１３は、偏光分解画像を得るように動作可能な、本明細書に記載のメトロロジデバイス１３００の一実施形態を示す。図２のデバイスと共通のコンポーネントを再び説明することはしない。また、簡潔にするため、光学コンポーネントのうちいくつかは図面から取り除かれている。（オーバーレイ及びアライメントの両方の）偏光分解信号を得る能力は、よりプロセスロバストな測定を可能にすることが知られている。本実施形態においては、照明源１３１０は既知の偏光状態（ＳｏＰ）と空間的にインコヒーレントであると推測される。このＳｏＰは、例えば、円、対角、又は（最も可能性が高いのは）無偏光であってもよい。２つのコヒーレントなオフアクシスビーム１３３０が、説明したように（例えば方向毎に）生成され、（例えば高ＮＡ）対物レンズ３４５に進入する。放射は基板３５０上のターゲットに合焦され、（方向毎に）＋１次及び−１次回折次数１３５５＋，１３５５−のみが対物系によって集光される。回折次数１３５５＋，１３５５−は、光を直交するＳｏＰ成分であるＳとＰとに分離するウォラストン・プリズム１３８５（又は、ワイヤグリッドポラライザのような任意の他の適当な偏光分離素子）上に、通常軸と異常軸との間の分離角度によって与えられる角変位をもって入射する。ビームはその後、それぞれがターゲットの散乱照明のＳ成分及びＰ成分に関する２つの画像がカメラ３６５によってキャプチャされるように、撮像レンズ１３６０によって合焦される。
【０１１２】
ポンプ・プローブ照明
[00111]  提案されるメトロロジデバイスの一実施形態は、一実施形態において、ポンプ・プローブ（音響）照明モードを実装し得る。そのようなモードは、例えば、アライメントマーク又は他のメトロロジターゲットが（例えば赤外線さえ通さない）非常に光学的に不透明な層の下に位置する場合に有用であろう。ポンプ・プローブ測定は、（非常に）不透明な層のない用途においても有用であり得る。なぜなら、より小さな格子ピッチの解像を可能にするからであり、これは精度及び処理の点で有益である。さらに、（例えば）層の厚さのばらつき、格子非対称、下地構造等のような変数に対するポンプ・プローブ測定の感度は、標準的な光学測定方法のそれと比較して非常に異なっている。これが測定精度を高めることを可能にし得る。
【０１１３】
[00112]  ポンプ・プローブ照明方法においては、アライメントマークは、１つ又は一連のプローブパルスの後で１つ又は一連のポンプパルスによって照明される。ポンプパルスは、まず（例えば１０〜１００ｎｍという一般的な音響波長を有する）音響衝撃波を励起するであろう。励起された音響平面波は、１）基板スタック内に伝搬し、２）埋没マーク格子によって反射され、３）マークを覆う不透明層及び／又は１つもしくは複数のレジスト層の表面に伝搬して戻り、測定可能な周期的な表面変形パターン及び／又は屈折率のばらつき（例えば効果的な音響格子）をもたらす。周期的な表面変形及び／又は屈折率のばらつきパターンは、「プローブ」パルス又は測定パルスを介して説明される技術のいずれを用いても測定することができる。
【０１１４】
[00113]  図１４は、そのような照明方法を４つの連続する時間インスタンスで概略的に図示している。図１４（ａ）は、不透明層１４１０及び埋没マーク（格子）１４１５を備えるスタック１４０５に入射するポンプパルス１４００を示す。ポンプパルス１４００は音波１４２０を生成する。図１４（ｂ）は、後の時点でスタックを通って伝搬する際の音波１４２０’を示す。音波は埋没マーク１４１５で反射し、反射した音波１４２０’’は埋没格子によって整形される（図１４（ｃ））。最後に、図１４（ｄ）は、表面にある反射した音波１４２０’’’を、屈折率が周期的に変動する浅い表面変形として示している。周期的な表面変形パターンは、到来するプローブパルス１４２５に対して本質的に格子のように作用する。プローブパルス１４２５はその後、反射した音波１４１５’’’によって生成された変形パターンと相互作用し、回折されたプローブパルス１４３０がカメラによってキャプチャされイメージングされる。カメラ画像は、図５に図示されたものに類似の干渉パターンを示すであろうから、既に説明した基板アライメントを評価するための画像解析と同じものを行うことができる。
【０１１５】
[00114]  図１４（ａ）には、埋没マーク１４１５を均一に照明するオンアクシスポンプパルス１４００が図示されている。オフアクシスプローブビーム１４２５は、図２に図示され先に説明したように構成される。この手法で分解することのできる最小の格子ピッチは、従来の（オンアクシス）センサより２倍小さい。なぜこのピッチ縮小が可能であるのかを理解するためには、モアレパターンが生成されることが理解されなければならない。すなわち、プローブパルスは基板上に格子パターンを形成する。この格子は、パルスによって生成される音響格子と相互作用する。周波数は混合し、したがって（２倍）小さいピッチを分解することができる。
【０１１６】
[00115]  図１４（ｅ）は、オフアクシスポンプビームが用いられる別の一実施形態を図示している。上記で言及した実施形態において説明したようにアライメントマーク１４３５を均一に照明することに代えて、オフアクシスポンプビームは、基板の上面上に２Ｄ格子パターンを生成する。そのような配置においては、音波はポンプビームが建設的に干渉される場所でのみ励起される。励起された２Ｄ音響平面波は基板スタックを通って伝搬し、埋没アライメントマーク１４３５、例えばμＤＢＯ格子によって反射される。全ての反射された音波の波面は、格子によって整形され、表面変形パターン１４４０を形成する。本質的には２Ｄ格子パターンであるこの表面変形パターン１４４０と相互作用した後、回折されたオフアクシスプローブビーム１４４０は、カメラにおいて相互に干渉するであろう。すると干渉パターンがキャプチャされ、基板アライメントを評価するために解析される。表面変形パターン１４４０のピッチは埋没アライメントマーク１４３５のピッチの２倍の大きさであることが見て取れる。これは、ポンプが格子パターンによって音波を励起するからである。音響格子は埋没アライメント格子と相互作用する。周波数は混合し、表面に現れる音響格子は、例えば、埋没格子の２倍の大きさのピッチを有する。この効果は、先に説明したプローブパルスと音響格子との相互作用によって引き起こされるモアレ効果と組み合わされ、標準的な技術と比較して４倍小さいピッチが分解される可能性につながる。これは線形音響を想定している。音響励起及び／又は伝搬及び／又は検出がかなり非線形である場合には、理論上は、無限に小さいピッチ（例えば製品ピッチ）が分解され得る。
【０１１７】
[00116]  全ての例は整数ピッチ比（例えば２倍及び４倍）を説明しているが、この方法は、非整数比にも、すなわち格子ピッチと照明ピッチとが互いに大きくかけ離れている場合にも、等しく適用可能である。
【０１１８】
[00117]  一実施形態においては、ポンプパルス及び／又はプローブパルスの１つ以上の特性は、非線形の音響生成及び／又は伝搬及び／又は検出効果を高めるように最適化される。これにより、非常に小さな（通常は分解可能でない）ターゲットピッチについて測定するときに信号強度を向上させることができる。
【０１１９】
強度バランス最適化のためのチューニング可能な非対称
[00118]  本明細書に記載のメトロロジデバイスを用いるアライメント済み位置の値又はオーバーレイ値は、ターゲット（例えば回折格子）における非対称（プロセス非対称など）を感知する。そのようなターゲット非対称は、一般論として、多色比較、又は（例えば角度分解メトロロジを介する）＋１回折次数と−１回折次数との間の強度不均衡の測定などの方法によって推定され得る。しかしながら、そのような方法の性能は、センサが測定に追加的な非対称を課す場合、損なわれる。センサ非対称と格子非対称とのクロスタームは、分解するのが困難である。
【０１２０】
[00119]  この問題に対処するべく、照明の非対称のチューニングを可能にする非対称チューニング配置が提案される。そのような配置が、本明細書に記載のメトロロジツールのいずれかのために、より具体的にはオフアクシス照明ジェネレータが少なくとも１つの位相格子を備えるメトロロジツールのために、提案される。非対称チューニング配置は、第１の格子に対して移動することのできる第２の格子を更に備えるデュアル格子オフアクシス照明ジェネレータを用いて実装され得る。これは、第１の格子を可動にすること、第２の格子を可動にすること、又は第１及び第２の格子の両方を可動にすることによって行われるであろう。
【０１２１】
[00120]  基本的な動作原理が図１５（ａ）に示されている。第１の位相深さφ１及び第１のフィーチャ幅又は線幅ｗ１を有する第１の格子Ｇ１が、説明したような回折次数（例えばオフアクシス照明ビーム）を生成する。第２の位相深さφ２及び第２のフィーチャ幅又は線幅ｗ２を有する第２の格子Ｇ２が、第１の格子Ｇ１に近接して設置される。この文脈において「近接」とは、キルヒホッフマスク近似が有効であるのに十分なほど近いことを意味するものと解釈されるべきであり、したがって、近接する２つの格子によって形成される２つの位相マスクの和は個々の位相深さの和となる。
【０１２２】
[00121]  第２の格子Ｇ２の位置を第１の格子Ｇ１に対してシフトさせると、位相プロファイルの全体φ１＋φ２に非対称が生じる。図１５（ａ）において、上のプロットは、位相プロファイルの全体φ１＋φ２が対称になるように対称的に位置合わせされた第１の格子Ｇ１及び第２の格子を示し、２番目のプロットは、位相プロファイルの全体φ１＋φ２が非対称になるように第１の格子Ｇ１に対して第２の格子Ｇ２をシフトさせた結果を示す。
【０１２３】
[00122]  非対称の量は、相対的な位相深さ及び第２の格子Ｇ２の線幅ｗ２を通じた設計によって、並びに第１の格子Ｇ１に対する第２の格子Ｇ２のオフセットの調節によって、制御され得る。第２の格子Ｇ２の設計は、所望の強度不均衡範囲を提供するように、その一方で同時に大きな位置調節範囲を提供するように、（例えば位相深さ及び線幅の点で）最適化することができる。制御感度を大きくするために（非対称の小さな変化が大きな物理的移動になる）、格子Ｇ２の位相深さは、十分な範囲を許容する可能な限り小さなものとなるように選ばれてもよい。格子Ｇ２のシフトを介して非対称を達成するためには、格子Ｇ２は、次の２つの特性のうち少なくとも一方を備えるであろう。
・格子は異なる線幅を有する（例えば、ｗ２はｗ１よりも小さい）、及び／又は
・格子は異なる位相深さを有する（例えば、φ２はφ１よりも小さい）。
【０１２４】
[00123]  非対称チューニング配置は、センサにおける、次のうち一方又は両方によりもたらされる強度非対称を補正するために用いることができる。１）格子非対称によりもたらされる強度非対称、又は２）光学素子（センサ非対称）によって引き起こされる強度非対称。
【０１２５】
[00124]  非対称チューニング配置は、センサのドリフト及び／又は特定の使用を補償するための強度バランスの周期的なチューニングを可能にするために、センサ内のアクチュエータによって実装されてもよい。
【０１２６】
[00125]  補助的な最適化においては、第１の格子Ｇ１の位相深さφ１及び第２の格子Ｇ２の位相深さφ２は、第２の格子Ｇ２があってもなくても回折効率が同じになるように、しかし位相深さφに対する回折効率ｅｄのスイング曲線のピークＰの両側にあるように、選ばれてもよい。そのような曲線が図１５（ｂ）に示されている。これは、格子Ｇ２の追加的な位相深さがスイング曲線ピークの反対側になるように第１の格子Ｇ１の絶対位相を最適位相深さから離調することによって実現され得る。これにより、組み合わせられた格子の「重心」シフトの衝撃が最小化され、それによって回折次数の相対位相シフトが最小化される。この補助的な最適化の否定的な側面は、単一の波長しか最適化できないということであり、このことはその有用性を限定する。
【０１２７】
[00126]  一方の格子（例えば第２の格子Ｇ２）の位置を他方（例えば第１の格子Ｇ１）に対してシフトさせることによって照明のチューニング可能な非対称を生成する代わりに、照明の非対称のチューニングは、照明ビームに対して２つの格子を一緒にシフトさせることによっても得ることができる。一実施形態によれば、第１の位相深さφ１及び第１のフィーチャ幅又は線幅ｗ１を有する第１の格子Ｇ１が、説明したような回折次数（例えばオフアクシス照明ビーム）を生成する。第２の位相深さφ２及び第２のフィーチャ幅又は線幅ｗ２を有する第２の格子Ｇ２が、第１の格子Ｇ１の上に近接して設置される。第２の格子Ｇ２は、第１の格子Ｇ１の上に直接印刷されてもよい。代替的には、２つの格子（Ｇ１及びＧ２）は２つの別個の光学素子（例えば薄いガラス）上に形成されてもよい。そのような２つの光学素子は、その後、第２の格子が第１の格子の上に近接して載るように、互いに接合される。
【０１２８】
[00127]  いずれの場合も、２つの格子は、入射照明ビームに垂直であり且つ互いに対して位置が固定されている（すなわち相対移動が可能でない）２つの平行な平面内に位置している。第２の格子Ｇ２の周期は、第１の格子Ｇ１の周期に近いがわずかに異なるように選ばれる。そのようにすれば、２つの格子の間に異なる横方向及び／又は角度オフセットを導入することによって、異なるモアレパターンを生成することができる。横方向オフセット及び角度オフセットはいずれも格子平面に導入され、２セットの格子構造（例えば格子線）間で評価される。横方向オフセットとは、２セットの格子構造の間の間隔が変更される一方で、その２セットの格子構造は互いに平行のままであることを意味する。これに対し、角度オフセットとは、２セットの格子構造の間に角度が形成されるように一方の格子が他方に対して回転されることを意味する。
【０１２９】
[00128]  入射照明ビームのパラメータ、例えば照明ビームのサイズに応じて、適当なモアレパターンが、２つの格子の間に適切な量のオフセットを導入することによって、選択され得る。２つの格子が入射照明ビームに対して共に移動されると、照明ビームはモアレパターンの異なる部分を見て、その結果、異なる量の照明非対称が生成される。格子構造及びそれらの相対オフセットは予め決まっているので、２つの格子によって形成されるモアレパターンは、非対称マップを作成するために用いることができ、それによって照明の非対称の自動チューニングを達成することができる。なお、非対称マップのうち、照明ビームが有意な非対称変化を経験するエリアは、回避されるべきである。
【０１３０】
[00129]  更なる一実施形態においては、非対称チューニング配置が、（例えば方向毎の）照明ビームペアの各々の一方のビームの経路内（例えば瞳内）に可変アテニュエータを設置することによって実現されてもよい。
【０１３１】
機能性を向上したハードウェアの実施形態
[00130]  図１６は、図２によって図示されるメトロロジデバイス３００に対していくつかの追加的なフィーチャを有する、本明細書に記載のメトロロジデバイス１６００の更なる一実施形態を備える。追加的なコンポーネント及びフィーチャの各々は、別個に実装可能である。図２のデバイスと共通のコンポーネントについては、再び説明することはしない。メトロロジデバイス１６００はインコヒーレント照明源３１０の出力に照明チューニングコンポーネント１６０７を備えている。照明チューニングコンポーネント１６０７は、照明の波長特性（例えば中心波長、帯域幅、及び／又は波長の組み合わせ）が（例えば特定のターゲットについて最もプロセスロバストになるように）選択され得るように、照明波長又はスペクトルのチューニングを可能にする。よって、例えば、照明チューニングコンポーネント１６０７は音響光学可変波長フィルタ（ＡＯＴＦ）を備えていてもよい。全ての波長が１つのカメラ１６６５又は複数の波長分解カメラ（図示しない）上に投影されてもよい。入力照明のチューニングを可能にするために、チューニング可能なパワーコンポーネント１６１７を設けてもよい。
【０１３２】
[00131]  光モジュール１６０５内には偏光コンポーネント１６２２，１６２７が提供される。偏光コンポーネント１６２２，１６２７は、例えば、入力ビームの偏光を（例えば線形、円形又はインコヒーレントに）チューニングするためのチューニング可能なポラライザ１６２２と、（例えば交差）偏光ディテクタ１６２７とを備えている。照明偏光と、ターゲットと、検出偏光との組み合わせは、検出されるマーク位置に影響を及ぼし得ることがわかっている。したがって、これらのコンポーネント１６２２，１６２７は、プロセスロバスト性を高めるためにこれらの偏光パラメータの変動を可能にする。
【０１３３】
[00132]  瞳照明モードコンポーネント１６３２が測定のための照明瞳を定義及び構成する。これはオフアクシス照明ビームのうちいずれかをスイッチオン又はオフする能力を備えていてもよい。そのような機能性の１つの用途は、「他のメトロロジ用途−強度ベースのもの」という見出しの項において既に説明した。また、ピッチの大きいＸ方向ターゲットについては、もたらされる干渉パターンが例えば１次及び３次の干渉のみを備えるように、１つの角度から照明するのが望ましいであろう。これにより、干渉パターンを解析すること及び収差を低減することがより容易になる。代替的には、任意の１回でスイッチオンされるのを共役照明ペアのみとするのも有益であるかもしれない。瞳照明モードコンポーネント１６３２は、照明瞳において望まない散乱次数を遮蔽するようにも構成され得る。例えば瞳検出モードコンポーネント１６５２を用いて、検出瞳においても等しい機能性が（代替的に又は組み合わせて）提供されてもよい。
【０１３４】
[00133]  代替的又は追加的には、瞳照明モードコンポーネント１６３２は、非共役オフアクシス照明ビーム間のコヒーレンスを変動させるように構成されていてもよい。例えば、Ｘ配向クアドラントの測定には、対応するＸ回折次数のみが必要とされる。Ｙ配向クアドラントにも同じことが当てはまる。Ｘ回折次数及びＹ回折次数も干渉するのであれば、画像処理はより複雑になる。そのような干渉は、例えば次のことにより回避することができる。１）Ｘ回折次数に対応するオフアクシス照明ビームにＹ回折次数に対応するオフアクシス照明ビームとは異なる波面を課す（imposing different wavefronts）こと、又は２）Ｘ回折次数に対応するオフアクシス照明ビームとＹ回折次数に対応するオフアクシス照明ビームとの間にコヒーレンス長よりも長い経路長遅延を提供すること。
【０１３５】
[00134]  オフアクシス照明ジェネレータ１６３０の一部として又は別個に、基板照明モードコンポーネントが実装されてもよい。基板照明モードコンポーネントは、基板における照明モードを定義及び構成する。特に、基板上のチューニング可能な照明スポットサイズを規定する。そのようなチューニング可能な照明スポットサイズの１つの用途は、瞳メトロロジモードをより良く実装することであり、それによって、あるモードは（瞳座標を重ね合わせる際に望ましくない散乱を回避するべく）ターゲットをアンダーフィルする照明スポットを有することの恩恵を受け得る。よって、メトロロジデバイス１６００は、対応する瞳カメラ１６４７を備える瞳イメージングブランチ１６４２も備えている。
【０１３６】
[00135]  一実施形態においては、例えば、ウェーハ上のＸ格子セグメントが例えば瞳内の左端及び右端のビームによってのみ照明され、ウェーハ上のＹ格子セグメントが例えば瞳内の上端及び下端のビームのみによって照明されるように、照明モードが作成され得る。そのような配置は、サンプル加熱／損傷の点で利点を有するであろう。
【０１３７】
[00136]  計算機合成ホログラムＧＣＨ又はパターンなどの基準ターゲット１６５７をイメージングすることによって、メトロロジデバイスの較正を行うことができる。このターゲットは、関連するゼルニケを扱うように且つ十分な情報をもってカメラ１６６５上に投影するように、慎重に設計されなければならない。対応する干渉パターンが解析され、それによって、光学素子の収差プロファイルが測定されるパターンと予想されるパターンとの比較に基づいて導出される。収差に対応する関連する瞳座標を扱うと共にこれらの収差をカメラ１６６５上にマッピングする基準ターゲット１６５７の設計が考案されなければならない。対応する干渉パターンは、画像から対応する収差マップを得るために、画像解析プロトコルを経る。そのような方法は、利用可能な波長が複数ある場合、より良好に作用することが想像される。カスタムターゲットの代替的な提案は、特定のゼルニケにマッピングする特定のターゲット（例えば格子）を用いることを備えるであろう。そのようなターゲットをＴＩＳ板上に設けることによって、ステージの位置合わせが行われる度に、全てのセンサ収差を較正することが可能である。この収差マップを様々な波長のアライメント済み位置の差と組み合わせれば、ターゲット欠陥を補正するのに十分な制御パラメータがあるはずである。
【０１３８】
[00137]  メトロロジデバイスは、比較的短い（例えばウェーハステージフィデューシャルの測定とウェーハ上の最後のターゲットの測定との間の時間よりも短い）時間の尺度で（例えばカメラセンサの）ドリフトの較正を可能にする内部基準構造（すなわちメトロロジデバイスそれ自体の内部）も備え得る。そのような内部基準構造は、（光学収差なしに）カメラドリフトを測定するためだけに、放射が基準構造からカメラまで可能な限り直接的に進むようなものであってもよい。ウェーハステージフィデューシャル／メトロフレームに対する内部基準構造の位置は、正確に分かる且つ信頼できる（例えばドリフトすることのない）ものでなくてはならない。例えば、内部基準構造は、カメラを含むどの放熱及び振動素子からも熱的且つ振動的に隔離され得る。
【０１３９】
[00138]  図１７は、そのような較正方法の一例を説明するフローチャートである。まず、較正フェーズ１７００を考える。ステップ１７１０において、基準ターゲット（例えばＣＧＨ）がメトロロジデバイスによって測定される。ステップ１７２０において原画像が処理され、ステップ１７３０において投影光学素子の収差指紋が決定される。ターゲットを測定すること１７５０によって測定フェーズ１７４０が始まる。ステップ１７６０において、ステップ１７３０で決定された収差指紋を用いて、ステップ１７５０で取得される画像の収差を補正する。ステップ１７７０において、局所的なプロセスアーチファクトを補正するために、様々な波長のアライメント済み位置が比較される。出力は、補正されたアライメント済み位置１７８０である。
【０１４０】
[00139]  先に言及したように、メトロロジセンサ１６００の個々のフィーチャはそれぞれ、独立して実装可能な個々の実施形態を備える。よって、提案されるメトロロジデバイスは、以下の特徴のうちいずれか１つ以上を有する、請求項１のメトロロジデバイス及び／又は図２のメトロロジデバイス３００を備え得る。
・複数波長機能性
・チューニング可能な波長／スペクトル機能性
・収差較正
・ターゲット内補正
・瞳メトロロジ及び／又はチューニング可能なスポットサイズ
・チューニング可能な偏光
・コヒーレンス最適化及び非共役照明スポット間のチューニング
・照明モード選択
・照明及び／又は検出瞳におけるチューニング可能なフィルタ
・チューニング可能なパワー特性
・偏光分解イメージング
・複数ターゲットイメージング
・可変関心領域選択
・位相ベースのメトロロジ
・強度ベースのメトロロジ
・アライメントメトロロジ
・オーバーレイ及び／又は焦点メトロロジ
・ポンプ・プローブ照明
・非対称チューニングのためのデュアル格子オフアクシス照明ジェネレータ
・同時複数１次検出
・同時複数１次検出及びゼロ次検出
【０１４１】
[00140]  本明細書に記載されたメトロロジデバイスとの関係において用いられる「放射」及び「ビーム」という用語は、１０００〜３０００ｎｍ波長などの赤外波長を含む任意の波長範囲のあらゆるタイプの電磁放射線を網羅する。
【０１４２】
[00141]  上の記載はリソグラフィ装置／スキャナの補正を説明しているが、決定された補正は、どのプロセスにも、及び、層内に形成される構造の位置及び／又は寸法に対して影響を有する、例えばエッチング装置など、ＩＣ製造プロセスにおけるどの集積回路（ＩＣ）製造装置によっても、用いられ得る。
【０１４３】
[00142]  リソグラフィ装置に関係して用いられる「放射」及び「ビーム」という用語は、紫外線（ＵＶ）放射（例えば、３６５ｎｍ、３５５ｎｍ、２４８ｎｍ、１９３ｎｍ、１５７ｎｍもしくは１２６ｎｍ、又はこれら辺りの波長を有する）及び極端紫外線（ＥＵＶ）放射（例えば、５ｎｍ〜２０ｎｍの範囲の波長を有する）、並びにイオンビーム又は電子ビームなどの粒子ビームを含む、あらゆるタイプの電磁放射を網羅する。
【０１４４】
[00143]  「レンズ」という用語は、文脈が許す場合には、屈折、反射、磁気、電磁気及び静電光学コンポーネントを含む様々なタイプの光学コンポーネントのいずれか一つ又はその組み合わせを指すことができる。
【０１４５】
[00144]  特定の実施形態に関する以上の説明は、本発明の全体的性質を十分に明らかにしているので、本技術分野の知識を適用することにより、過度の実験をせず、本発明の全体的構想から逸脱することなく、このような特定の実施形態を容易に修正する、及び／又はこれらを様々な用途に適応させることができる。したがって、このような適応及び修正は、本明細書に提示された教示及び案内に基づき、開示された実施形態の均等物の意味及び範囲内に入るものとする。本明細書の言葉遣い又は用語は例として説明するためのもので、限定するものではなく、したがって本明細書の用語又は言葉遣いは、当業者には教示及び案内の観点から解釈されるべきであることを理解されたい。
【０１４６】
[00145]  本発明の幅及び範囲は、上述した例示的実施形態のいずれによっても限定されず、特許請求の範囲及びその均等物によってのみ規定されるものである。
【図１】
2022500685.tif 000003
【図２】
2022500685.tif 000004
【図３（ａ）】
2022500685.tif 000005
【図３（ｂ）】
2022500685.tif 000006
【図３（ｃ）】
2022500685.tif 000007
【図４】
2022500685.tif 000008
【図５（ａ）】
2022500685.tif 000009
【図５（ｂ）】
2022500685.tif 000010
【図６】
2022500685.tif 000011
【図７（ａ）】
2022500685.tif 000012
【図７（ｂ）】
2022500685.tif 000013
【図７（ｃ）】
2022500685.tif 000014
【図７（ｄ）】
2022500685.tif 000015
【図８】
2022500685.tif 000016
【図９（ａ）】
2022500685.tif 000017
【図９（ｂ）】
2022500685.tif 000018
【図１０（ａ）】
2022500685.tif 000019
【図１０（ｂ）】
2022500685.tif 000020
【図１０（ｃ）】
2022500685.tif 000021
【図１０（ｄ）】
2022500685.tif 000022
【図１０（ｅ）】
2022500685.tif 000023
【図１０（ｆ）】
2022500685.tif 000024
【図１０（ｇ）】
2022500685.tif 000025
【図１０（ｈ）】
2022500685.tif 000026
【図１１】
2022500685.tif 000027
【図１２】
2022500685.tif 000028
【図１３】
2022500685.tif 000029
【図１４（ａ）】
2022500685.tif 000030
【図１４（ｂ）】
2022500685.tif 000031
【図１４（ｃ）】
2022500685.tif 000032
【図１４（ｄ）】
2022500685.tif 000033
【図１４（ｅ）】
2022500685.tif 000034
【図１５（ａ）】
2022500685.tif 000035
【図１５（ｂ）】
2022500685.tif 000036
【図１６】
2022500685.tif 000037
【図１７】
2022500685.tif 000038
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
複数の照明ビームを備える測定照明を生成するように構成されたメトロロジデバイスであって、
前記照明ビームの各々は、空間的にインコヒーレント又は偽空間的にインコヒーレントであると共に前記メトロロジデバイスの照明瞳に複数の瞳点を備えており、
前記複数の照明ビームの一つ一つの各瞳点は、前記複数の照明ビームの他の照明ビームの少なくとも１つに対応する瞳点を有し、それによって対応する瞳点の複数のセットを定義し、
対応する瞳点の各セットの前記瞳点は、互いに対して空間的にコヒーレントである、メトロロジデバイス。
【請求項２】
各瞳点は、同じ照明ビームの他の全ての瞳点に対して実質的に空間的にインコヒーレントである、請求項１に記載のメトロロジデバイス。
【請求項３】
瞳点の各セットは、少なくとも検討される測定方向に対応する前記照明ビームについては、前記照明瞳内の瞳点の他の全てのセットの幾何学的な平行運動である、請求項１又は２に記載のメトロロジデバイス。
【請求項４】
インコヒーレントな放射の単一のビームから前記測定照明の複数の照明ビームを生成するためのオフアクシス照明ジェネレータを備える、請求項１から３の何れか一項に記載のメトロロジデバイス。
【請求項５】
前記オフアクシス照明ジェネレータは、各測定方向につき少なくとも１つの位相格子又は２Ｄ位相格子を備える、請求項４に記載のメトロロジデバイス。
【請求項６】
前記オフアクシス照明ジェネレータは、各照明ビーム内の様々な波長が共通の入射照明角度を有するように配置された、各測定方向につき少なくとも１ペアの位相格子又は２Ｄ位相格子と、少なくとも１ペアのレンズと、前記少なくとも１ペアのレンズの一方のレンズによって定義されるフーリエ平面内の少なくとも１ペアの光学くさびと、を備える、請求項５に記載のメトロロジデバイス。
【請求項７】
前記オフアクシス照明ジェネレータは、第１の位相プロファイルを有する第１の位相格子と第２の位相プロファイルを有する第２の位相格子とを備えると共に組み合わせた位相プロファイルがチューニング可能な非対称を備えるように前記第２の位相格子が前記第１の位相格子に対して移動可能なように配置される少なくとも１ペアの位相格子を備える、請求項５又は６に記載のメトロロジデバイス。
【請求項８】
前記オフアクシス照明ジェネレータは、前記インコヒーレントな放射の単一のビームから４つの同一の照明ビームを生成するように配置された複数のビームスプリッタ及びリフレクタコンポーネントを備え、それによって各照明ビーム内の様々な波長が共通の入射照明角度を有する、請求項４に記載のメトロロジデバイス。
【請求項９】
各照明ビームは、前記照明瞳に位置しており、それによって、周期構造による前記測定照明の散乱の後、対応する高次回折次数が各照明ビームについて前記メトロロジデバイスの検出瞳でキャプチャされる、請求項１から８の何れか一項に記載のメトロロジデバイス。
【請求項１０】
前記複数の照明ビームは、検討される測定方向毎に１ペアの照明ビームを備え、
キャプチャされる前記対応する高次回折次数は、各方向について相補的な高次回折次数を備える、請求項９に記載のメトロロジデバイス。
【請求項１１】
対応する瞳点の各セットの前記瞳点は、前記複数の照明ビームの全てについて、互いに対して空間的にコヒーレントである、請求項１０に記載のメトロロジデバイス。
【請求項１２】
対応する瞳点の各セットの前記瞳点は、前記検討される測定方向のうち１つに対応する照明ビームの各ペアについてのみ、互いに対して空間的にコヒーレントである、請求項１０に記載のメトロロジデバイス。
【請求項１３】
前記メトロロジデバイスは、散乱線のゼロ次が検出されないように暗視野構成で動作可能である、請求項９又は１０に記載のメトロロジデバイス。
【請求項１４】
前記照明瞳及び／又は検出瞳にチューニング可能なフィルタを備え、
前記チューニング可能なフィルタは、色、偏光、空間分布及び角度分布のうち１つ以上をチューニングするためのものである、請求項９から１３の何れか一項に記載のメトロロジデバイス。
【請求項１５】
前記高次回折次数の干渉の結果もたらされる干渉パターンをイメージングするように動作可能なディテクタを備える、請求項９から１４の何れか一項に記載のメトロロジデバイス。
【請求項１６】
前記メトロロジデバイスは、前記干渉パターンの位置から位置情報を決定するように動作可能である、請求項１５に記載のメトロロジデバイス。
【請求項１７】
前記メトロロジデバイスは、前記干渉パターンの前記位置から固定基準に対する基板上の周期構造の位置を測定するためのアライメントセンサとして動作可能である、請求項１６に記載のメトロロジデバイス。
【請求項１８】
各々が異なる周期構造に対応する２つの干渉パターンの相対位置からオーバーレイを測定するように動作可能なオーバーレイメトロロジデバイスとして動作可能である、請求項１６又は１７に記載のメトロロジデバイス。
【請求項１９】
前記測定照明は、複数の波長又は波長帯を備える、請求項１５から１８の何れか一項に記載のメトロロジデバイス。
【請求項２０】
前記複数の波長又は波長帯の各々に対応する各干渉パターンの別々の画像を得るように動作可能であり、前記別々の画像は前記ディテクタの同じ領域で連続的に得られるか、又は各画像が前記ディテクタの異なる領域でもしくは異なるディテクタで同時に得られる、請求項１９に記載のメトロロジデバイス。
【請求項２１】
前記複数の波長又は波長帯の各々に対応する前記干渉パターンを前記ディテクタの前記同じ領域で同時にイメージングするように動作可能であると共に、各干渉パターンの配向の異なる角度に基づいて前記干渉パターンを分離することによって前記画像を処理するように動作可能である、請求項１９に記載のメトロロジデバイス。
【請求項２２】
各周期構造について、前記干渉パターンの１つ以上の最適化された関心領域を決定するように動作可能である、請求項１５から２１の何れか一項に記載のメトロロジデバイス。
【請求項２３】
前記１つ以上の最適化された関心領域は、前記干渉パターンの画像の１つ以上の特徴及び／又は前記最適化された関心領域の関数としての測定されたもしくはモデル化された性能パラメータ値に基づいて決定される、請求項２２に記載のメトロロジデバイス。
【請求項２４】
前記１つ以上の最適化された関心領域は、複数の関心領域を備え、
各関心領域は、前記干渉パターンの画像の１つ以上の特徴及び／又は前記最適化された関心領域の関数としての測定されたもしくはモデル化された性能パラメータ値に基づいて対応する加重を備える、請求項２２又は２３に記載のメトロロジデバイス。
【請求項２５】
前記測定照明は、既知の偏光状態を備え、
前記メトロロジデバイスは、偏光分離素子を備え、
前記メトロロジデバイスは、偏光分解干渉パターンを別々にイメージングするように配置される、請求項１５から２４の何れか一項に記載のメトロロジデバイス。
【請求項２６】
様々な照明モードで動作可能であり、前記測定照明は複数の照明ビームのサブセットのみを備える、請求項１５から２５の何れか一項に記載のメトロロジデバイス。
【請求項２７】
前記照明モードは、１つのビームモード又は単一ビームモードを含み、
前記サブセットは、前記照明モードのうち１つのみを備える、請求項２６に記載のメトロロジデバイス。
【請求項２８】
前記単一ビームモードのうち１つ以上を用いて検出された散乱線の検出された強度に基づいて前記周期構造における非対称を決定するように動作可能である、請求項２７に記載のメトロロジデバイス。
【請求項２９】
前記検出された強度は、前記単一ビームモードのうちの２つを用いて得られる対向する高次回折次数間で検出された強度差を備え、
各単一ビームモードは、前記高次回折次数のうち１つに対応する、請求項２８に記載のメトロロジデバイス。
【請求項３０】
前記干渉パターンにおける干渉縞コントラストの測定に基づいて前記周期構造における非対称を決定するように動作可能である、請求項１５から２９の何れか一項に記載のメトロロジデバイス。
【請求項３１】
前記干渉パターンにおける干渉縞の位置の測定に基づいて前記周期構造における非対称を決定するように動作可能である、請求項１５から３０の何れか一項に記載のメトロロジデバイス。
【請求項３２】
空間的にインコヒーレントな放射を模倣する放射を生成する偽空間的にインコヒーレントな放射源を備える、請求項１から３１の何れか一項に記載のメトロロジデバイス。
【請求項３３】
前記偽空間的にインコヒーレントな放射源は、レーザ源と、マルチモード放射を作成するためのマルチモードジェネレータと、を備え、
前記偽空間的にインコヒーレントな放射源は、空間的にインコヒーレントな放射源を模倣するべくマルチモード放射の様々な実現をアンサンブル平均するように動作可能である、請求項３２に記載のメトロロジデバイス。
【請求項３４】
前記マルチモードジェネレータは、スペックルパターンを作成するための回転ディフューザを備える、請求項３３に記載のメトロロジデバイス。
【請求項３５】
前記マルチモードジェネレータは、レーザからの単一モードレーザビームを様々な角度にわたってスキャンするためのゴニオメータを備える、請求項３３に記載のメトロロジデバイス。
【請求項３６】
１つ以上のポンプパルスが音波を励起するように動作可能であり、前記音波が測定中の周期構造から反射されて表面変形及び／又は屈折率のばらつきをもたらすところ、前記測定照明の１つ以上のパルスの前に前記基板に前記１つ以上のポンプパルスを伝送するように、及び、
前記測定照明によって前記表面変形を測定するように、
ポンプ・プローブ照明モードで動作可能な、請求項１から３５の何れか一項に記載のメトロロジデバイス。
【請求項３７】
請求項１から３６の何れか一項に記載のメトロロジデバイスを備える、リソグラフィ装置。
【国際調査報告】
2022500685.tif 000039
2022500685.tif 000040